(57)【要約】【課題】  高温成形時における有機材料の着色を抑制できる色相安定剤の提供。【解決手段】  下式（Ｉ）で示される色相安定剤。2005298589.tif 000019[Ｒ１〜Ｒ2は単環〜三環のアリール基又はアリールアルキル基を表す。但し、単環のアリール基はアルキル基、アルキルチオ基、アルコキシル基、シクロアルキル基、ハロゲン原子、ヒドロキシル基、メルカプト基及びアルキルアミノ基からなる群より選ばれる置換基で置換されている。また、二環〜三環のアリール基及び単環〜三環のアリールアルキル基はアルキル基、アルキルチオ基、アルコキシル基、シクロアルキル基、ハロゲン原子、ヒドロキシル基、メルカプト基及びジアルキルアミノ基からなる群より選ばれる置換基で置換されてもよい。]【選択図】  なし【特許請求の範囲】
【請求項１】
下式（Ｉ）で示される有機材料用色相安定剤。
2005298589.tif 000018
[Ｒ１及びＲ2は、それぞれ独立に、炭素数１〜３０のアルキル基、炭素数１〜３０のアルコキシル基、炭素数３〜８のシクロアルキル基、単環のアリール基、二環のアリール基、三環のアリール基、単環のアリールアルキル基、二環のアリールアルキル基又は三環のアリールアルキル基を表す。
但し、上記の単環のアリール基は、該環を構成する炭素原子に結合する１〜３個の水素原子が、アルキル基、アルキルチオ基、アルコキシル基、アルコキシアルキル基、シクロアルキル基、アルキルシクロアルキル基、ハロゲン原子、ヒドロキシル基、メルカプト基、アルキルアミノ基及びジアルキルアミノ基からなる群より選ばれる１〜３個の置換基でそれぞれ置換されているものとする。
また、上記の炭素数３〜８のシクロアルキル基は、該環を構成する炭素原子に結合する１〜２個の水素原子が、アルキル基、アルキルチオ基、アルコキシル基、アルコキシアルキル基、シクロアルキル基、アルキルシクロアルキル基、ハロゲン原子、ヒドロキシル基、メルカプト基、アルキルアミノ基及びジアルキルアミノ基からなる群より選ばれる１〜２個の置換基でそれぞれ置換されていてもよい。さらに、上記の二環のアリール基、三環のアリール基、単環のアリールアルキル基、二環のアリールアルキル基及び三環のアリールアルキル基は、それぞれ独立に、これらの環を構成する炭素原子に結合する１〜３個の水素原子が、アルキル基、アルキルチオ基、アルコキシル基、アルコキシアルキル基、シクロアルキル基、アルキルシクロアルキル基、ハロゲン原子、ヒドロキシル基、メルカプト基、アルキルアミノ基及びジアルキルアミノ基からなる群より選ばれる１〜３個の置換基でそれぞれ置換されていてもよい。］
【請求項２】
式（Ｉ）において、Ｒ１及びＲ２の一方が単環又は二環のアリール基であり、Ｒ１及びＲ２の他方が炭素数１〜３０のアルキル基、炭素数１〜３０のアルコキシル基又は炭素数３〜８のシクロアルキル基である請求項１に記載の有機材料用色相安定剤。
【請求項３】
式（Ｉ）において、Ｒ１及びＲ２が、それぞれ独立に、ビフェニル基、α−ナフチル基、β−ナフチル基、ターフェニル基、アントラニル基、フェナントレニル基、インデニル基又はフルオレニル基である請求項１に記載の有機材料用色相安定剤［但し、上記ビフェニル基、α−ナフチル基、β−ナフチル基、ターフェニル基、アントラニル基、フェナントレニル基、インデニル基及びフルオレニル基は、それぞれ独立に、環を構成する炭素原子に結合する１〜３個の水素原子が、炭素数１〜３０のアルキル基、炭素数１〜３０のアルキルチオ基、炭素数１〜３０のアルコキシル基、炭素数２〜３０のアルコキシアルキル基、炭素数３〜８のシクロアルキル基、炭素数４〜１０のアルキルシクロアルキル基、ハロゲン原子、ヒドロキシル基、メルカプト基、炭素数１〜３０のアルキルアミノ基及び炭素数２〜３０のジアルキルアミノ基からなる群から選ばれる１〜３個の置換基でそれぞれ置換されていてもよい］。
【請求項４】
有機材料と請求項１〜３のいずれかに記載の有機材料用色相安定剤を含有する組成物であって、有機材料の１００重量部当り、有機材料用色相安定剤が０．０００１〜１０重量部の範囲であることを特徴とする有機材料組成物。
【請求項５】
有機材料が、熱可塑性樹脂である請求項４に記載の有機材料組成物。
【請求項６】
熱可塑性樹脂が、エンジニアリング樹脂である請求項５に記載の有機材料組成物。
【請求項７】
エンジニアリング樹脂が、ポリカーボネート又はポリエステルである請求項６に記載の有機材料組成物。
【請求項８】
エンジニアリング樹脂が、ポリカーボネートである請求項６に記載の有機材料組成物。
【発明の詳細な説明】
【技術分野】
【０００１】
本発明は、有機材料用色相安定剤及び有機材料組成物に関するものである。
【背景技術】
【０００２】
ポリカーボネート等の熱可塑性樹脂は、製造時、加工時や使用時に熱や酸素等の作用により劣化し、分子切断や分子架橋といった現象に起因する有機材料の強度の低下、高温での流動性の変化、着色や表面物性の低下等を伴い、商品価値が著しく損なわれることがある。
また、ポリカーボネート等の熱可塑性樹脂は、耐衝撃性、透明性や寸法安定性等が優れており、電子機器のハウジング、光学レンズや窓ガラス等の建材に使用されている。
【０００３】
特許文献１には、主たる繰り返し単位が次式
2005298589.tif 000002
［式中、Ｒ１’、Ｒ２’、Ｒ３’及びＲ４’は、それぞれ独立に水素原子、炭素数１〜１０のアルキル基、アラルキル基又はアリール基であり、Ｗはアルキリデン基、シクロアルキレン基、アリール基で置換されたアルキレン基、酸素原子、イオウ原子、スルホキシド基又はスルホン基を表す。］
で表されるポリカーボネートの１００重量部当り、次式（Ａ）で示される色相安定剤の０．０００１〜５重量部を含むポリカーボネート組成物が記載されている。
【０００４】
2005298589.tif 000003
［式中、Ｒ５’〜Ｒ７’は、それぞれ独立に水素原子、炭素数１〜２０のアルキル基、炭素数１〜２０のアルコキシ基若しくは置換基を有していてもよい炭素数６〜２０のアリール基、又は次式（Ｂ）で表されるシリル基を表す。
【０００５】
2005298589.tif 000004
【０００６】
｛式中、Ｘ’は単結合、酸素原子、硫黄原子又は炭素数１〜１０のアルキレン基を表す。Ｙ１’〜Ｙ３’は、それぞれ独立に水素原子、炭素数１〜２０のアルキル基、炭素数１〜２０のアルキルシリル基、炭素数１〜２０のアルキルシロキシ基、置換基を有していてもよい炭素数６〜２０のアリール基、炭素数６〜２０のアリールシリル基、炭素数６〜２０のアリールシロキシ基又はシロキサニル基を表す。｝］
【０００７】
【特許文献１】特開２００１−２４７７５８号公報
【発明の開示】
【発明が解決しようとする課題】
【０００８】
しかしながら、本発明者は、ポリカーボネートの高温成形時における上記特許文献１記載の色相安定剤の効果は、必ずしも充分ではないという知見を得た。
【０００９】
本発明の目的は、高温成形時におけるポリカーボネート等の有機材料の着色を抑制できる色相安定剤、及び該色相安定剤を含む組成物を提供することである。
【課題を解決するための手段】
【００１０】
本発明者は、鋭意検討した結果、特定のケイ素化合物を色相安定剤として用いると、高温成形時におけるポリカーボネート等の有機材料の着色を効果的に抑制することを見出して、本発明を完成した。
【００１１】
すなわち、本発明は、下式（Ｉ）で示される有機材料用色相安定剤を提供するものである。
2005298589.tif 000005
[Ｒ１及びＲ2は、それぞれ独立に、炭素数１〜３０のアルキル基、炭素数１〜３０のアルコキシル基、炭素数３〜８のシクロアルキル基、単環のアリール基、二環のアリール基、三環のアリール基、単環のアリールアルキル基、二環のアリールアルキル基又は三環のアリールアルキル基を表す。
但し、上記の単環のアリール基は、該環を構成する炭素原子に結合する１〜３個の水素原子が、アルキル基、アルキルチオ基、アルコキシル基、アルコキシアルキル基、シクロアルキル基、アルキルシクロアルキル基、ハロゲン原子、ヒドロキシル基、メルカプト基、アルキルアミノ基及びジアルキルアミノ基からなる群より選ばれる１〜３個の置換基でそれぞれ置換されているものとする。
また、上記の炭素数３〜８のシクロアルキル基は、該環を構成する炭素原子に結合する１〜２個の水素原子が、アルキル基、アルキルチオ基、アルコキシル基、アルコキシアルキル基、シクロアルキル基、アルキルシクロアルキル基、ハロゲン原子、ヒドロキシル基、メルカプト基、アルキルアミノ基及びジアルキルアミノ基からなる群より選ばれる１〜２個の置換基でそれぞれ置換されていてもよい。さらに、上記の二環のアリール基、三環のアリール基、単環のアリールアルキル基、二環のアリールアルキル基及び三環のアリールアルキル基は、それぞれ独立に、これらの環を構成する炭素原子に結合する１〜３個の水素原子が、アルキル基、アルキルチオ基、アルコキシル基、アルコキシアルキル基、シクロアルキル基、アルキルシクロアルキル基、ハロゲン原子、ヒドロキシル基、メルカプト基、アルキルアミノ基及びジアルキルアミノ基からなる群より選ばれる１〜３個の置換基でそれぞれ置換されていてもよい。］
【００１２】
また、本発明は、有機材料と上記の式（Ｉ）で示される有機材料用色相安定剤を含有する組成物であって、有機材料の１００重量部当り、有機ケイ素化合物が０．０００１〜１０重量部の範囲であることを特徴とする有機材料組成物を提供するものである。
【発明の効果】
【００１３】
本発明の有機材料用色相安定剤を用いると、ポリカーボネート等の有機材料の高温成形時における着色を抑制することができる。また、本発明の有機材料組成物を用いると、高温で成形しても、有機材料の着色が抑制される。
【発明を実施するための最良の形態】
【００１４】
以下、本発明を詳細に説明する。
本発明の有機材料用色相安定剤は、上式（Ｉ）で示される。
【００１５】
上式（Ｉ）におけるＲ１及びＲ２は、それぞれ独立に、炭素数１〜３０のアルキル基、炭素数１〜３０のアルコキシル基、炭素数３〜８のシクロアルキル基、単環のアリール基、二環のアリール基、三環のアリール基、単環のアリールアルキル基、二環のアリールアルキル基又は三環のアリールアルキル基を表す。
但し、上記の単環のアリール基は、該環を構成する炭素原子に結合する１〜３個の水素原子が、アルキル基、アルキルチオ基、アルコキシル基、アルコキシアルキル基、シクロアルキル基、アルキルシクロアルキル基、ハロゲン原子、ヒドロキシル基、メルカプト基、アルキルアミノ基及びジアルキルアミノ基からなる群より選ばれる１〜３個の置換基でそれぞれ置換されている。
【００１６】
上記の置換基であるアルキル基としては、例えばメチル基、エチル基、ｎ−プロピル基、ｉ−プロピル基、ｎ−ブチル基、ｉ−ブチル基、ｓｅｃ−ブチル基、ｔ−ブチル基、ｔ−ペンチル基、ｉ−オクチル基、ｔ−オクチル基や２−エチルヘキシル基等の炭素数１〜３０のアルキル基（好ましくは、炭素数１〜１０のアルキル基）が挙げられる。
上記の置換基であるアルコキシル基としては、例えばメチルオキシ基、エチルオキシ基、ｎ−プロピルオキシ基、ｉ−プロピルオキシ基、ｎ−ブチルオキシ基、ｉ−ブチルオキシ基、ｓｅｃ−ブチルオキシ基、ｔ−ブチルオキシ基、ｔ−ペンチルオキシ基、ｉ−オクチルオキシ基、ｔ−オクチルオキシ基、２−エチルヘキシルオキシ基等の炭素数１〜３０のアルコキシル基（好ましくは、炭素数１〜１０のアルコキシル基）が挙げられる。
上記の置換基であるシクロアルキル基としては、例えばシクロペンチル基、シクロヘキシル基、シクロヘプチル基やシクロオクチル基等の炭素数３〜８のシクロアルキル基が挙げられる。
【００１７】
上記の置換基であるアルキルチオ基としては、例えばメチルチオ基、エチルチオ基、ｎ−プロピルチオ基、ｉ−プロピルチオ基、ｎ−ブチルチオ基やｔ−ペンチルチオ基等の炭素数１〜１０のアルキルチオ基が挙げられる。
上記の置換基であるアルコキシアルキル基としては、上述した炭素数１〜１０のアルキル基における１個の水素原子が、１個の炭素数１〜１０のアルコキシル基で置換された基が挙げられる。
上記の置換基であるアルキルシクロアルキル基としては、上述した炭素数３〜８のシクロアルキル基における１個の水素原子が、１個の炭素数１〜１０のアルキル基（好ましくは、炭素数１〜３のアルキル基）で置換された基が挙げられる。
上記のアルキルアミノ基としては、例えば、アミノ基の１個の水素原子が上述した炭素数１〜１０のアルキル基で置換された基が挙げられる。
上記の置換基であるジアルキルアミノ基としては、例えば、アミノ基の２個の水素原子が上述した炭素数１〜１０のアルキル基でそれぞれ置換された基が挙げられる。
【００１８】
式（Ｉ）において、Ｒ１及びＲ２で表される単環のアリール基としては、例えば、フェニル基における１〜３個の水素原子が、炭素数１〜８のアルキル基、炭素数１〜８のアルコキシル基、炭素数１〜８のアルキルチオ基及びハロゲン原子からなる群より選ばれる１〜３個の置換基でそれぞれ置換されたフェニル基が挙げられる。該置換されたフェニル基の具体例としては、トルイル基、ｔ−ブチルフェニル基、メトキシフェニル基、クロロフェニル基、ｏ−メチル−ｐ−メトキシフェニル基やメチルチオフェニル基等が挙げられる。
【００１９】
式（Ｉ）において、Ｒ１及びＲ２で表される二環のアリール基、三環のアリール基、単環のアリールアルキル基、二環のアリールアルキル基や三環のアリールアルキル基としては、例えば以下のものが挙げられる。
【００２０】
芳香環を形成する炭素原子に結合した水素原子の１〜２個が、炭素数１〜８のアルキル基（メチル基やｔ−ブチル基等）、炭素数１〜８のアルコキシル基（メトキシ基やエトキシ基等）及びハロゲン原子（塩素原子や臭素原子等）からなる群より選ばれる置換基の１又は２個でそれぞれ置換されていてもよいビフェニル基；
芳香環を形成する炭素原子に結合した水素原子の１〜２個が、炭素数１〜８のアルキル基（メチル基やｔ−ブチル基等）及び炭素数１〜８のアルコキシル基（メトキシ基やエトキシ基等）からなる群より選ばれる置換基の１又は２個でそれぞれ置換されていてもよいα−ナフチル基又はβ−ナフチル基；
芳香環を形成する炭素原子に結合した水素原子の１〜２個が、炭素数１〜８のアルキル基（メチル基やｔ−ブチル基等）、炭素数１〜８のアルコキシル基（メトキシ基やエトキシ基等）及びハロゲン原子（塩素原子や臭素原子等）からなる群より選ばれる置換基の１又は２個でそれぞれ置換されていてもよいターフェニル基；
芳香環を形成する炭素原子に結合した水素原子の１〜２個が、炭素数１〜８のアルキル基（メチル基やｔ−ブチル基等）、炭素数１〜８のアルコキシル基（メトキシ基やエトキシ基等）及びハロゲン原子（塩素原子や臭素原子等）からなる群より選ばれる置換基の１又は２個でそれぞれ置換されていてもよいアントラニル基；
芳香環を形成する炭素原子に結合した水素原子の１〜２個が、炭素数１〜８のアルキル基（メチル基やｔ−ブチル基等）、炭素数１〜８のアルコキシル基（メトキシ基やエトキシ基等）及びハロゲン原子（塩素原子や臭素原子等）からなる群より選ばれる置換基の１又は２個でそれぞれ置換されていてもよいフェナントレニル基；
芳香環を形成する炭素原子に結合した水素原子の１〜２個が、炭素数１〜８のアルキル基（メチル基やｔ−ブチル基等）、炭素数１〜８のアルコキシル基（メトキシ基やエトキシ基等）及びハロゲン原子（塩素原子や臭素原子等）からなる群より選ばれる置換基の１又は２個でそれぞれ置換されていてもよいインデニル基；
芳香環を形成する炭素原子に結合した水素原子の１〜２個が、炭素数１〜８のアルキル基（メチル基やｔ−ブチル基等）、炭素数１〜８のアルコキシル基（メトキシ基やエトキシ基等）及びハロゲン原子（塩素原子や臭素原子等）からなる群より選ばれる置換基の１又は２個でそれぞれ置換されていてもよいフルオレニル基；
側鎖のアルキル基を形成する炭素原子に結合した水素原子の１〜２個が、炭素数１〜８のアルキル基（メチル基やｔ−ブチル基等）の１又は２個でそれぞれ置換されていてもよいベンジル基等。
【００２１】
式（Ｉ）において、上記のＲ１及びＲ２で表される各基における好ましい置換基としては、例えば、以下のものが挙げられる。
炭素数１〜８のアルキル基；炭素数１〜８のアルコキシル基；フェノキシ基；炭素数１〜８のアルキル基や炭素数１〜８のアルコキシル基で置換されていてもよいフェニル基；炭素数１〜８のアルキル基や炭素数１〜８のアルコキシル基で置換されていてもよいビフェニル基等。
式（Ｉ）において、上記のＲ１及びＲ２で表される各基におけるより好ましい置換基としては、例えば、以下のものが挙げられる。
フェノキシ基；炭素数１〜８のアルキル基；炭素数１〜８のアルコキシル基；炭素数１〜８のアルキル基や炭素数１〜８のアルコキシル基で置換されたフェニル基等。
式（Ｉ）において、上記のＲ１及びＲ２で表される各基における特に好ましい置換基としては、例えば、以下のものが挙げられる。
フェノキシ基；炭素数１〜８のアルキル基；炭素数１〜８のアルコキシル基等。
【００２２】
本発明の組成物における有機ケイ素化合物（Ｉ）としては、以下のものが例示される。
ジ−２−トリルシラン、ジ−３−トリルシラン、ジ−４−トリルシラン、ビス（２−エチルフェニル）シラン、ビス（３−エチルフェニル）シラン、ビス（４−エチルフェニル）シラン、ビス（２−ｎ−プロピルフェニル）シラン、ビス（３−ｎ−プロピルフェニル）シラン、ビス（４−ｎ−プロピルフェニル）、ビス（２−ｉ−プロピルフェニル）シラン、ビス（３−ｉ−プロピルフェニル）シラン、ビス（４−ｉ−プロピルフェニル）、ビス（２−ｎ−ブチルフェニル）シラン、ビス（３−ｎ−ブチルフェニル）シラン、ビス（４−ｎ−ブチルフェニル）、ビス（２−ｔ−ブチルフェニル）シラン、ビス（３−ｔ−ブチルフェニル）シラン、ビス（４−ｔ−ブチルフェニル）、ビス（２，３−ジメチルフェニル）シラン、ビス（２，４−ジメチルフェニル）シラン、ビス（２，５−ジメチルフェニル）シラン、ビス（２，３−ジエチルフェニル）シラン、ビス（２，４−ジエチルフェニル）シラン、ビス（２，５−ジエチルフェニル）シラン、ビス（２，３−ジ−ｎ−プロピルフェニル）シラン、ビス（２，４−ジ−ｎ−プロピルフェニル）シラン、ビス（２，５−ジ−ｎ−プロピルフェニル）シラン、ビス（２，３−ジ−ｔ−プロピルフェニル）シラン、ビス（２，４−ジ−ｔ−プロピルフェニル）シラン、ビス（２，５−ジ−ｔ−プロピルフェニル）シラン、ビス（２，３−ジ−ｎ−ブチルフェニル）シラン、ビス（２，４−ジ−ｎ−ブチルフェニル）シラン、ビス（２，５−ジ−ｎ−ブチルフェニル）シラン、ビス（２，３−ジ−ｔ−ブチルフェニル）シラン、ビス（２，４−ジ−ｔ−ブチルフェニル）シラン、ビス（２，５−ジ−ｔ−ブチルフェニル）シラン、ジメシチルシラン、ビス（２,４,６−トリエチルフェニル）シラン、ビス（２−メトキシフェニル）シラン、ビス（３−メトキシフェニル）シラン、ビス（４−メトキシフェニル）シラン、ビス（２−エトキシフェニル）シラン、ビス（３−エトキシフェニル）シラン、ビス（４−エトキシフェニル）シラン、ビス（２−ｎ−プロポキシフェニル）シラン、ビス（３−ｎ−プロポキシフェニル）シラン、ビス（４−ｎ−プロポキシフェニル）シラン、ビス（２−ｉ−プロポキシフェニル）シラン、ビス（３−ｉ−プロポキシフェニル）シラン、ビス（４−ｉ−プロポキシフェニル）シラン、ビス（２−ｎ−ブトキシフェニル）シラン、ビス（３−ｎ−ブトキシフェニル）シラン、ビス（４−ｎ−ブトキシフェニル）シラン、ビス（２−ｔ−ブトキシフェニル）シラン、ビス（３−ｔ−ブトキシフェニル）シラン、ビス（４−ｔ−ブトキシフェニル）シラン、ビス（２−フェノキシフェニル）シラン、ビス（３−フェノキシフェニル）シラン、ビス（４−フェノキシフェニル）シラン、ビス（２、３−ジメトキシフェニル）シラン、ビス（２，４−ジメトキシフェニル）シラン、ビス（２，５−ジメトキシフェニル）シラン、ビス（２、３−ジエトキシフェニル）シラン、ビス（２，４−ジエトキシフェニル）シラン、ビス（２，５−ジエトキシフェニル）シラン、ビス（２、３−ジ−ｎ−プロポキシフェニル）シラン、ビス（２，４−ジ−ｎ−プロポキシフェニル）シラン、ビス（２，５−ジ−ｎ−プロポキシフェニル）シラン、ビス（２、３−ジ−ｉ−プロポ���シフェニル）シラン、ビス（２，４−ジ−ｉ−プロポキシフェニル）シラン、ビス（２，５−ジ−ｉ−プロポキシフェニル）シラン、ビス（２、３−ジ−ｎ−ブトキシフェニル）シラン、ビス（２，４−ジ−ｎ−ブトキシフェニル）シラン、ビス（２，５−ジ−ｎ−ブトキシフェニル）シラン、ビス（２、３−ジ−ｉ−ブトキシフェニル）シラン、ビス（２，４−ジ−ｉ−ブトキシフェニル）シラン、ビス（２，５−ジ−ｉ−ブトキシフェニル）シラン、ビス（２，４，６−トリメトキシフェニル）シラン、ビス（２，４，６−トリエトキシフェニル）シラン、ビス（２，４，６−トリ−ｎ−プロポキシフェニル）シラン、ビス（２，４，６−トリ−ｉ−プロポキシフェニル）シラン、ビス（２，４，６−トリ−ｎ−ブトキシフェニル）シラン、ビス（２，４，６−トリ−ｔ−ブトキシフェニル）シラン、ビス（４−メトキシ−２−メチルフェニル）シラン、ビス（４−メトキシ−３−メチルフェニル）シラン、ビス（２−メトキシ−４−メチルフェニル）シラン、ビス（３−メトキシ−４−メチルフェニル）シラン、ビス（２−エチル−４−メトキシフェニル）シラン、ビス（３−エチル−４−メトキシフェニル）シラン、ビス（４−エチル−２−メトキシフェニル）シラン、ビス（４−エチル−３−メトキシフェニル）シラン、ビス（４−エトキシ−２−メチルフェニル）シラン、ビス（４−エトキシ−３−メチルフェニル）シラン、ビス（２−エトキシ−４−メチルフェニル）シラン、ビス（３−エトキシ−４−メチルフェニル）シラン、ビス（４−エトキシ−２−エチルフェニル）シラン、ビス（４−エトキシ−３−エチルフェニル）シラン、ビス（２−エトキシ−４−エチルフェニル）シラン、ビス（３−エトキシ−４−エチルフェニル）シラン、ビス（４−メトキシ−２−ｎ−プロピルフェニル）シラン、ビス（４−メトキシ−３−ｎ−プロピルフェニル）シラン、ビス（２−メトキシ−４−ｎ−プロピルフェニル）シラン、ビス（３−メトキシ−４−ｎ−プロピルフェニル）シラン、ビス（４−エトキシ−２−ｎ−プロピルフェニル）シラン、ビス（４−エトキシ−３−ｎ−プロピルフェニル）シラン、ビス（２−エトキシ−４−ｎ−プロピルフェニル）シラン、ビス（３−エトキシ−４−ｎ−プロピルフェニル）シラン、ビス（４−プロポキシ−２−ｎ−プロピルフェニル）シラン、ビス（４−プロポキシ−３−ｎ−プロピルフェニル）シラン、ビス（２−プロポキシ−４−ｎ−プロピルフェニル）シラン、ビス（３−プロポキシ−４−ｎ−プロピルフェニル）シラン、ビス（４−メトキシ−２−ｉ−プロピルフェニル）シラン、ビス（４−メトキシ−３−ｉ−プロピルフェニル）シラン、ビス（２−メトキシ−４−ｉ−プロピルフェニル）シラン、ビス（３−メトキシ−４−ｉ−プロピルフェニル）シラン、ビス（４−エトキシ−２−ｉ−プロピルフェニル）シラン、ビス（４−エトキシ−３−ｉ−プロピルフェニル）シラン、ビス（２−エトキシ−４−ｉ−プロピルフェニル）シラン、ビス（３−エトキシ−４−ｉ−プロピルフェニル）シラン、ビス（４−プロポキシ−２−ｉ−プロピルフェニル）シラン、ビス（４−プロポキシ−３−ｉ−プロピルフェニル）シラン、ビス（２−プロポキシ−４−ｉ−プロピ���フェニル）シラン、ビス（３−プロポキシ−４−ｉ−プロピルフェニル）シラン、ビス（４−ｎ−ブトキシ−２−メチルフェニル）シラン、ビス（４−ｎ−ブトキシ−３−メチルフェニル）シラン、ビス（２−ｎ−ブトキシ−４−メチルフェニル）シラン、ビス（３−ｎ−ブトキシ−４−メチルフェニル）シラン、ビス（４−ｎ−ブトキシ−２−エチルフェニル）シラン、ビス（４−ｎ−ブトキシ−３−エチルフェニル）シラン、ビス（２−ｎ−ブトキシ−４−エチルフェニル）シラン、ビス（３−ｎ−ブトキシ−４−エチルフェニル）シラン、ビス（４−ｔ−ブトキシ−２−メチルフェニル）シラン、ビス（４−ｔ−ブトキシ−３−メチルフェニル）シラン、ビス（２−ｔ−ブトキシ−４−メチルフェニル）シラン、ビス（３−ｔ−ブトキシ−４−メチルフェニル）シラン、ビス（４−ｔ−ブトキシ−２−エチルフェニル）シラン、ビス（４−ｔ−ブトキシ−３−エチルフェニル）シラン、ビス（２−ｔ−ブトキシ−４−エチルフェニル）シラン、ビス（３−ｔ−ブトキシ−４−エチルフェニル）シラン、メチル−２−トリルシラン、メチル−３−トリルシラン、メチル−４−トリルシラン、メチル−２−エチルフェニルシラン、メチル−３−エチルフェニルシラン、メチル−４−エチルフェニルシラン、メチル−２−ｎ−プロピルフェニルシラン、メチル−３−ｎ−プロピルフェニルシラン、メチル−４−ｎ−プロピルフェニルシラン、メチル−２−ｉ−プロピルフェニルシラン、メチル−３−ｉ−プロピルフェニルシラン、メチル−４−ｉ−プロピルフェニルシラン、２−ｎ−ブチルフェニルメチルシラン、３−ｎ−ブチルフェニルメチルシラン、４−ｎ−ブチルフェニルメチルシラン、２−ｔ−ブチルフェニルメチルシラン、３−ｔ−ブチルフェニルメチルシラン、４−ｔ−ブチルフェニルメチルシラン、エチル−２−トリルシラン、エチル−３−トリルシラン、エチル−４−トリルシラン、エチル−２−エチルフェニルシラン、エチル−３−エチルフェニルシラン、エチル−４−エチルフェニルシラン、エチル−２−ｎ−プロピルフェニルシラン、エチル−３−ｎ−プロピルフェニルシラン、エチル−４−ｎ−プロピルフェニルシラン、エチル−２−ｉ−プロピルフェニルシラン、エチル−３−ｉ−プロピルフェニルシラン、エチル−４−ｉ−プロピルフェニルシラン、２−ｎ−ブチルフェニルエチルシラン、３−ｎ−ブチルフェニルエチルシラン、４−ｎ−ブチルフェニルエチルシラン、２−ｔ−ブチルフェニルエチルシラン、３−ｔ−ブチルフェニルエチルシラン、４−ｔ−ブチルフェニルエチルシラン、ｎ−プロピルトリルシラン、ｉ−プロピルトリルシラン、ｎ−ブチルトリルシラン、ｔ−ブチルトリルシラン、２−エチルフェニル−ｎ−プロピルシラン、３−エチルフェニル−ｎ−プロピルシラン、４−エチルフェニル−ｎ−プロピルシラン、２−エチルフェニル−ｉ−プロピルシラン、３−エチルフェニル−ｉ−プロピルシラン、４−エチルフェニル−ｉ−プロピルシラン、ｎ−ブチル−２−エチルフェニルシラン、ｎ−ブチル−３−エチルフェニルシラン、ｎ−ブチル−４−エチルフェニルシラン、ｉ−ブチル−２−エチルフェニルシラン、ｉ−ブチル−３−エチルフェニルシラン、ｉ−ブチル−４−エチ���フェニルシラン、２−トリルフェニルシラン、４−メトキシフェニルフェニルシラン、２−（メトキシメチル）フェニルフェニルシラン、２−（ｉ−プロポキシメチル）フェニルフェニルシラン、ビス[４−（メトキシエトキシ）フェニル]シラン、ビス[４−[２−（２−メトキシエトキシ）エトキシ]フェニル]シラン、４−フェノキシフェニルフェニルシラン、ビス（２−クロロフェニル）シラン、ビス（３−クロロフェニル）シラン、ビス（４−クロロフェニル）シラン、ビス（ペンタクロロフェニル）シラン、ビス（４−フルオロフェニル）シラン、２−クロロフェニルフェニルシラン、４−クロロフェニルフェニルシラン、ビス（２−ビフェニル）シラン、ビス（３−ビフェニル）シラン、ビス（４−ビフェニル）シラン、ビス（４−トリフルオロメチルフェニル）シラン、ペンタフルオロフェニルフェニルシラン、ビス[２−（トリメチルヒドラジノメチル）フェニル]シラン、ビス[２−（トリメチルヒドラジノ）フェニル]シラン、ビス[２，６−ビス（ジメチルアミノメチル）フェニル]シラン、２−（（ジメチルアミノ）メチル）フェニル−２，４，６−トリメチルフェニルシラン、ジナフチルシラン、１−ナフチルフェニルシラン、ビス[（８−ジメチルアミノ）ナフチル]シラン、ビス（２−メルカプトフェニル）シラン、ビス（３−メルカプトフェニル）シラン、ビス（４−メルカプトフェニル）シラン、ビス（２−メチルチオフェニル）シラン、ビス（３−メチルチオフェニル）シラン、ビス（４−メチルチオフェニル）シラン、ビス（２−ヒドロキシフェニル）シラン、ビス（３−ヒドロキシフェニル）シラン、ビス（４−ヒドロキシフェニル）シラン、ビス（２−アミノフェニル）シラン、ビス（３−アミノフェニル）シラン、ビス（４−アミノフェニル）シラン、ジメチルアミノメチルフェニルシラン、２−[１−（ジメチルアミノ）エチル]フェニルシラン、２−（ジメチルアミノ）メチルフェニルシラン等。
【００２３】
本発明の有機材料組成物の中でも、色相安定剤（Ｉ）において、Ｒ１及びＲ２の一方が単環又は二環のアリール基であり、Ｒ１及びＲ２の他方が炭素数１〜３０のアルキル基、炭素数１〜３０のアルコキシル基又は炭素数３〜８のシクロアルキル基である有機材料組成物が好ましい。但し、上記の炭素数３〜８のシクロアルキル基は、該環を構成する炭素原子に結合する１〜２個の水素原子が、アルキル基、アルキルチオ基、アルコキシル基、アルコキシアルキル基、ハロゲン原子、ヒドロキシル基、メルカプト基、アルキルアミノ基及びジアルキルアミノ基からなる群より選ばれる１〜２個の置換基でそれぞれ置換されていてもよい。
【００２４】
また、本発明の有機材料組成物の中でも、色相安定剤（Ｉ）において、Ｒ１及びＲ２が、それぞれ独立に、ビフェニル基、α−ナフチル基、β−ナフチル基、ターフェニル基、アントラニル基、フェナントレニル基、インデニル基又はフルオレニル基である有機材料組成物がより好ましい。但し、上記ビフェニル基、α−ナフチル基、β−ナフチル基、ターフェニル基、アントラニル基、フェナントレニル基、インデニル基及びフルオレニル基は、それぞれ独立に、環を構成する炭素原子に結合する１〜３個の水素原子が、炭素数１〜３０のアルキル基、炭素数１〜３０のアルキルチオ基、炭素数１〜３０のアルコキシル基、炭素数２〜３０のアルコキシアルキル基、炭素数３〜８のシクロアルキル基、炭素数４〜１０のアルキルシクロアルキル基、ハロゲン原子、ヒドロキシル基、メルカプト基、炭素数１〜３０のアルキルアミノ基及び炭素数２〜３０のジアルキルアミノ基からなる群から選ばれる１〜３個の置換基でそれぞれ置換されていてもよい。
【００２５】
本発明の有機材料組成物における色相安定剤（Ｉ）は、例えば、テトラメトキシシランと、マグネシウム及びハロゲン化アリール又はハロゲン化アルキルから調製されたグリニヤール化合物とをテトラヒドロフラン等のエーテル系溶媒の存在下に反応させて得た反応液を加水分解して、ビス（アリール）−ジメトキシシランを得、該ビス（アリール）−ジメトキシシランとジイソブチルアルミニウムヒドリドとをトルエン等の芳香族炭化水素系溶媒の存在下に反応させて得た反応液を常法により、後処理して得られる。
【００２６】
本発明において、有機材料としては、例えば以下に記載する熱可塑性樹脂［（１）〜（４５）］が挙げられる。これらの熱可塑性樹脂は、単独で用いてもよく、二種以上の混合物として用いてもよい。
【００２７】
（１）高密度ポリエチレン（ＨＤ−ＰＥ）、低密度ポリエチレン（ＬＤ−ＰＥ）や直鎖状低密度ポリエチレン（ＬＬＤＰＥ）等のポリエチレン、（２）ポリプロピレン、（３）エチレン／プロピレン共重合体、（４）メチルペンテンポリマー、（５）ＥＥＡ（エチレン／アクリル酸エチル共重合）樹脂、（６）エチレン／酢酸ビニル共重合樹脂、（７）ポリスチレン、ポリ（ｐ−メチルスチレン）やポリ（α−メチルスチレン）等のポリスチレン類、（８）ＡＳ（アクリロニトリル／スチレン共重合）樹脂、（９）透明ＡＢＳ樹脂等のＡＢＳ（アクリロニトリル／ブタジエン／スチレン共重合）樹脂、（１０）ＡＡＳ（特殊アクリルゴム／アクリロニトリル／スチレン共重合）樹脂、（１１）ＡＣＳ（アクリロニトリル／塩素化ポリエチレン／スチレン共重合）樹脂、（１２）ＡＢ（アクリロニトリル／ブタジエン共重合）樹脂、（１３）ＭＳ（メチルメタクリレート／スチレン共重合）樹脂、（１４）塩素化ポリエチレン、ポリクロロプレンや塩素化ゴム、（１５）ポリ塩化ビニルやポリ塩化ビニリデン、（１６）メタクリル樹脂、（１７）エチレン／ビニルアルコール共重合樹脂、（１８）ポリアクリレート、（１９）アイオノマー樹脂、（２０）ポリビニルアルコール、（２１）三酢酸セルロース等のセルロース系樹脂、（２２）ポリウレタン、次の（２３）〜（３４）に示すエンジニアリング樹脂；（３５）〜（４０）に示す樹脂、並びに、以下に登録商標名で示す環状ポリオレフィン樹脂（４１）。
【００２８】
（２３）ポリテトラフルオロエチレン等のフッ素樹脂、（２４）変性ポリフェニレンエーテル樹脂とポリフェニレンサルファイド樹脂、（２５）ポリアセタール、（２６）ポリアミド、（２７）ポリエチレンテレフタレート、ポリブチレンテレフタレート、液晶ポリマー［ＬＣＰ］やポリ乳酸等のポリエステル樹脂、（２８）ポリカーボネート、（２９）ポリスルホン、ポリエーテルエーテルケトンやポリエーテルスルホン、（３０）芳香族ポリエステル樹脂、（３１）ポリアミドイミド、（３２）ポリイミド、（３３）ポリアリレート及び（３４）ポリエーテルイミド；（３５）ポリブタジエン、（３６）１，２−ポリブタジエン、（３７）ポリイソプレン、（３８）ブロック共重合体や水添化されたスチレン／ブタジエン共重合体、（３９）ブロック共重合体や水添化されたスチレン／イソプレン共重合体、（４０）ブタジエン／アクリロニトリル共重合体；（４１）環状ポリオレフィン樹脂；
【００２９】
Ｔｏｐａｓ（Ｔｉｃｏｎａ社の登録商標）
2005298589.tif 000006
［該式中、ｌ及びｍは、正の整数である。］
【００３０】
ＡＲＴＯＮ（ＪＳＲの登録商標）
2005298589.tif 000007
［該式中、ｎは正の整数である。Ｘ及びＲはアルキル基等の置換基を表す。］
【００３１】
アペル（三井化学の登録商標）
2005298589.tif 000008
［該式中、ｌ、ｍ及びｎは、それぞれ独立に正の整数である。］
【００３２】
ＺＥＯＮＥＸ（日本ゼオンの登録商標）
2005298589.tif 000009
［該式中、ｎは正の整数である。また、該式中のＲ１及びＲ２はそれぞれ独立にアルキル基等の置換基を表す。］
【００３３】
（４２）シリコーンゴム、（４３）エピクロルヒドリンゴム、（４４）アクリルゴム、（４５）天然ゴム。
【００３４】
上述した（１）〜（６）に示すポリオレフィンは、特に限定されるものではない。例えば、ラジカル重合によって得られたポリオレフィンでもよく、周期表ＩＶｂ、Ｖｂ、ＶＩｂ又はＶＩＩＩ族の金属を含有する触媒を用いる重合により製造されたポリオレフィンでもよい。上記の金属を含有する触媒としては、１つ以上の配位子、例えばπ又はσ結合によって配位する酸化物、ハロゲン化合物、アルコレート、エステル、アリール等を有する金属錯体であってもよく、これらの錯体はそのままであっても、塩化マグネシウム、塩化チタン、アルミナや酸化ケイ素等の基材に担持されていてもよい。
上記ポリオレフィンとしては、例えば、チーグラー・ナッタ触媒、ＴＮＺ触媒、メタロセン触媒やフィリップス触媒等を用いて製造されたものが好ましく使用される。
【００３５】
上述した（２６）に示すポリアミドとしては、ポリマー鎖にアミド結合を有する樹脂であって、加熱溶融できるものであればよい。例えば、ジアミン類とジカルボン酸類との縮合反応、アミノカルボン酸類の縮合反応、ラクタム類の開環重合等のいずれかの方法によって製造されたものでもよい。
これらのポリアミドの具体例としては、ナイロン６６、ナイロン６９、ナイロン６１０、ナイロン６１２、ポリ−ビス（ｐ−アミノシクロヘキシル）メタンドデカミド、ナイロン４６、ナイロン６、ナイロン１２、ナイロン６６とナイロン６の共重合体であるナイロン６６／６やナイロン６／１２のような共重合体が挙げられる。
【００３６】
上述した（２７）に示すポリエチレンテレフタレートやポリブチレンテレフタレート等のようなポリエステル樹脂としては、ポリマー鎖にエステル結合を有するものであって、加熱溶融できる樹脂であればよい。例えば、ジカルボン酸類とジヒドロキシ化合物との重縮合等によって得られるポリエチレンテレフタレートやポリブチレンテレフタレート等のポリエステルが挙げられる。該ポリエステルは、ホモポリエステルでもよく、コポリエステルでもよい。
【００３７】
上述した（２８）で示されるポリカーボネートとしては、例えば二価フェノールとハロゲン化カルボニル、ハロホルメートやカーボネートエステル等のカーボネート前駆体等とを反応させることにより製造された樹脂を挙げることができる。
上記の二価フェノールとしては、例えばビスフェノールＡ、ハイドロキノン、メチルハイドロキノン、レゾルシノール、２，２−ビス（４−ヒドロキシフェニル）ペンタン、ビフェノール、ビス（２−ヒドロキシフェニル）メタン、ビス（４−ヒドロキシフェニル）メタン、１，１−ビス（４−ヒドロキシフェニル）エタン、３，３−ビス(４−ヒドロキシフェニル)ペンタン、２，２’−ジヒドロキシビフェニル、１，５−ジヒドロキシナフタレン、２，６−ジヒドロキシナフタレン、ビス(４−ヒドロキシフェニル)スルホン、ビス（３，５−ジメチル−４−ヒドロキシフェニル)スルホン、２，２−ビス(３，５−ジメチル−４−ヒドロキシフェニル)プロパン、２，４’−ジヒドロキシジフェニルスルホン、４，４’−ジヒドロキシジフェニルエーテル、４，４’−ジヒドロキシ−２，５−ジメチルフェニルエーテル、２，２−ビス（３，５−ジクロロ−４−ヒドロキシフェニル)プロパン、２，２−ビス(３，５−ジブロモ−４−ヒドロキシフェニル)プロパン、２，２−ビス(３−クロロ−４−ヒドロキシフェニル)プロパン、２，２−ビス(３−ブロモ−４−ヒドロキシフェニル)プロパン、２，２−ビス(３−フルオロ−４−ヒドロキシフェニル)プロパン、２，２−ビス(４−ヒドロキシフェニル)−１，１，１，３，３，３−ヘキサフルオロプロパン、１，１−ビス(４−ヒドロキシフェニル)シクロヘキサン、１，１−ビス(３，５−ジクロロ−４−ヒドロキシフェニル)シクロヘキサン、４，４’−ジヒドロキシベンゾフェノン、３，３’，５，５’−テトラメチル−４，４’−ジヒドロキシベンゾフェノン、ビス(４−ヒドロキシフェニル)スルフィド、ビス(３−メチル−４−ヒドロキシフェニル)スルフィド、ビス(３，５−ジメチル−４−ヒドロキシフェニル)スルフィド、ビス(４−ヒドロキシフェニル)スルフィド又は９，９−ビス(４−ヒドロキシフェニル)フルオレン等が挙げられる。
上記のハロゲン化カルボニルとしては、例えば、ホスゲンや臭化カルボニル等が挙げられる。また、上記のハロホルメートとしては、例えば、ハイドロキノンビスクロロホルメート等の二価フェノールのハロホルメートや、エチレングリコールハロホルメート等のグリコールホルメート等が挙げられる。さらに、上記のカーボネートエステルとしては、例えば、ジフェニルカーボネート、ジ(クロロフェニル)カーボネート、ジ(トリル)カーボネート、ジナフチルカーボネートやジメチルカーボネート等が挙げられる。
有機材料として用いられるポリカーボネートとしては、分岐状ポリカーボネートも挙げられる。該分岐状ポリカーボネートは、フェノール性水酸基を３個以上有する化合物及び二価フェノールのフェノール混合物と上記カーボネート前駆体とを反応させて調製することができる。
フェノール性水酸基を３個以上有する化合物としては、例えば、１，３，５−トリヒドロキシベンゼン、２，４−ビス(４−ヒドロキシフェニルイソプロピル)フェノール、２，６−ビス(２−ヒドロキシ−５−メチルベンジル)−４−メチルフェノール、２−(４−ヒドロキシフェニル)−２−(２，４−ジヒドロキシフェニル)プロパン、１，４−ビス｛ジ(４−ヒドロキシフェニル)メチル｝ベンゼン等が挙げられる。
上述したポリカーボネートは、界面重合法、ピリジン法やエステル交換法等の方法により製造することができる。該方法で製造されたポリカーボネートはホモポリマーやコポリマーであってもよい。また、ポリカーボネートは、ポリエステルカーボネートやポリホスホネートカーボネートであってもよい。
ポリカーボネートの分子量は、粘度平均分子量(２５℃における塩化メチレン溶融粘度より換算した値)で表すと、好ましくは10000〜100000の範囲、より好ましくは12000〜50000の範囲である。
また、ポリカーボネートはポリマーアロイであってもよい。
ポリマーアロイを形成するポリカーボネート以外の樹脂としては、ポリエチレンやポリプロピレン等のポリオレフィン；ポリメチルメタクリレート等のメタクリル樹脂；アクリロニトリルブタジエンスチレン(ＡＢＳ樹脂)；飽和ポリエステル(ＰＥＴ，ＰＢＴ)；ポリアミド；ポリフェニレンエーテル(ＰＰＥ)；ポリエステル系樹脂；アクリレート系樹脂；シリコーン系樹脂；ポリイミド樹脂；ポリエーテルイミド樹脂；ポリウレタン；ポリフェニレンンスルフィド樹脂；ポリスルホン樹脂；ポリスチレン樹脂；アクリロニトリル−スチレン共重合体（ＡＳ）；フェノール樹脂；エポキシ樹脂；スチレン／ブタジエン／スチレンブロック共重合体(ＳＢＳ)；イソブチレン／イソプレンゴム；スチレン／ブタジエンゴム；エチレン／プロピレンゴム；アクリル系エラストマー；ポリエステル系エラストマー；ポリアミド系エラストマー；メタクリル酸メチル／ブタジエン／スチレン（ＭＢＳ）；メタクリル酸メチル／アクリロニトリル／スチレン（ＭＡＳ）熱可塑性エラストマー；水素添加スチレン／ブタジエン／スチレンブロック共重合体(ＳＥＢＳ)；スチレン／イソプレン／スチレンブロック共重合体(ＳＩＳ)；水素添加スチレン／イソプレン／スチレンブロック共重合体(ＳＥＰＳ)等が挙げられる。
さらに、ポリカーボネートは、ガラス繊維、カーボン繊維やフッ素樹脂等を充填したものであってもよい。
【００３８】
上記熱可塑性樹脂の中でも、ポリカーボネート、ポリアミド、ポリエチレンテレフタレートやポリブチレンテレフタレート等のようなポリエステル等のエンジニアリング樹脂が好ましい。
エンジニアリング樹脂の中でも、ポリカーボネートや、ポリエチレンテレフタレートやポリブチレンテレフタレート等のようなポリエステルがより好ましく、ポリカーボネートが特に好ましい。
【００３９】
本発明の有機材料組成物は、上記有機材料と式（Ｉ）で示される色相安定剤を含有し、該有機材料と色相安定剤（Ｉ）の重量比が１００：０．０００１〜１００：１０の範囲である。
本発明において、有機材料と色相安定剤（Ｉ）の重量比が１００：０．０００１よりも小さいと、有機材料の着色を十分に抑制できない場合がある。一方、有機材料と色相安定剤（Ｉ）の重量比が１００：１０を超えても有機材料の着色抑制効果はそれほど向上せず、経済的には不利となる。
【００４０】
本発明の有機材料組成物は、有機材料と色相安定剤（Ｉ）を含有する組成物であるが、必要に応じて、他の添加剤、例えばフェノール系酸化防止剤、リン系酸化防止剤、イオウ系酸化防止剤、紫外線吸収剤、光安定剤、ヒドロキシルアミン、金属不活性化剤、金属石鹸類、造核剤、滑剤、防曇剤、可塑剤、難燃剤、離型剤、帯電防止剤、顔料、染料、充填剤、発泡剤や有機過酸化物等を添加することもできる。更に、米国特許第４，３２５，８５３号明細書、米国特許第４，３３８，２４４号明細書、米国特許第５，１７５，３１２号明細書、米国特許第５，２１６，０５３号明細書、米国特許第５，２５２，６４３号明細書、ＤＥ−Ａ−４，３１６，６１１号公報、ＤＥ−Ａ−４，３１６，６２２号公報、ＤＥ−Ａ−４，３１６，８７６号公報、ＥＰ−Ａ−５８９，８３９号公報、ＥＰ−Ａ−５９１，１０２号公報、ＣＡ−２，１３２，１３２号公報等に記載のベンゾフラノン類やインドリン類等を添加することもできる。また、エポキシ化大豆油等のエポキシ化合物やオキセタン系化合物を添加することもできる。
本発明における有機材料がポリカーボネートである場合は、色相安定剤（Ｉ）以外に添加できる添加剤としては、フェノール系酸化防止剤、リン系酸化防止剤、イオウ系酸化防止剤、紫外線吸収剤、離型剤、染料、難燃剤、帯電防止剤、顔料や充填剤が挙げられる。
【００４１】
本発明における有機材料がポリカーボネートである場合に、上記のフェノール系酸化防止剤としては、次の（１）〜(１７)の酸化防止剤が挙げられる。
(１)アルキル化モノフェノール
２，６−ジ−ｔ−ブチル−４−メチルフェノール、２，４，６−トリ−ｔ−ブチルフェノール、２，６−ジ−ｔ−ブチルフェノール、２−ｔ−ブチル−４，６−ジメチルフェノール、２，６−ジ−ｔ−ブチル−４−エチルフェノール、２，６−ジ−ｔ−ブチル−４−ｎ−ブチルフェノール、２，６−ジ−ｔ−ブチル−４−イソブチルフェノール、２，６−ジシクロペンチル−４−メチルフェノール、２−(α−メチルシクロヘキシル)−４，６−ジメチルフェノール、２，６−ジオクタデシル−４−メチルフェノール、２，４，６−トリシクロヘキシルフェノール、２，６−ジ−ｔ−ブチル−４−メトキシメチルフェノール、２，６−ジ−ノニル−４−メチルフェノール、２，４−ジメチル−６−(１’−メチルウンデシル−１’−イル）フェノール、２，４−ジメチル−６−(１’−メチルヘプタデシル−１’−イル）フェノール又は２，４−ジメチル−６−(１’−メチルトリデシル−１’−イル)フェノール、及びこれらの混合物。
【００４２】
（２）アルキルチオメチルフェノール
２，４−ジオクチルチオメチル−６−ｔ−ブチルフェノール、２，４−ジオクチルチオメチル−６−メチルフェノール、２，４−ジオクチルチオメチル−６−エチルフェノール、２，６−ジドデシルチオメチル−４−ノニルフェノール、及びこれらの混合物。
（３）ヒドロキノン及びアルキル化ヒドロキノン
２，６−ジ−ｔ−ブチル−４−メトキシフェノール、２，５−ジ−ｔ−ブチルヒドロキノン、２，５−ジ−ｔ−アミルヒドロキノン、２，６−ジフェニル−４−オクタデシルオキシフェノール、２，６−ジ−ｔ−ブチルヒドロキノン、２，５−ジ−ｔ−ブチル−４−ヒドロキシアニソール、３，５−ジ−ｔ−ブチル−４−ヒドロキシフェニルステアレート、ビス(３，５−ジ−ｔ−ブチル−４−ヒドロキシフェニル)アジペート、及びこれらの混合物。
【００４３】
（４）トコフェロール
α−トコフェロール、β−トコフェロール、γ−トコフェロール、δ−トコフェロール、及びこれらの混合物。
（５）ヒドロキシル化チオジフェニルエーテル
２，２’−チオビス(６−ｔ−ブチルフェノール）、２，２’−チオビス（４−メチル−６−ｔ−ブチルフェノール）、２，２’−チオビス(４−オクチルフェノール）、４，４’−チオビス(３−メチル−６−ｔ−ブチルフェノール）、４，４’−チオビス(２−メチル−６−ｔ−ブチルフェノール）、４，４’−チオビス(３，６−ジ−ｔ−アミルフェノール）、４，４’−(２，６−ジメチル−４−ヒドロキシフェニル)ジスルフィド、及びこれらの混合物。
【００４４】
（６）アルキリデンビスフェノール及びその誘導体
２，２’−メチレンビス(４−メチル−６−ｔ−ブチルフェノール）、２，２’−メチレンビス(４−エチル−６−ｔ−ブチルフェノール）、２，２’−メチレンビス［４−メチル−６−(α−メチルシクロヘキシル）フェノール)］、２，２’−メチレンビス(４−メチル−６−シクロヘキシルフェノール）、２，２’−メチレンビス(４−メチル−６−ノニルフェノール）、２，２’−メチレンビス(４，６−ジ−ｔ−ブチルフェノール）、２，２’−エチリデンビス(４，６−ジ−ｔ−ブチルフェノール）、２，２’−エチリデンビス(４−イソブチル−６−ｔ−ブチルフェノール）、２，２’−メチレンビス［６−(α−メチルベンジル)−４−ノニルフェノール］、２，２’−メチレンビス［６−(α，α−ジメチルベンジル)−４−ノニルフェノール］、４，４’−メチレンビス（６−ｔ−ブチル−２−メチルフェノール）、４，４’−メチレンビス（２，６−ジ−ｔ−ブチルフェノール）、４，４’−ブチリデンビス（３−メチル−６−ｔ−ブチルフェノール）、１，１−ビス（４−ヒドロキシフェニル）シクロヘキサン、１，１−ビス（５−ｔ−ブチル−４−ヒドロキシ−２−メチルフェニル）ブタン、２，６−ビス（３−ｔ−ブチル−５−メチル−２−ヒドロキシベンジル）−４−メチルフェノール、１，１，３−トリス（５−ｔ−ブチル−４−ヒドロキシ−２−メチルフェニル）ブタン、１，１−ビス（５−ｔ−ブチル−４−ヒドロキシ−２−メチルフェニル）−３−ｎ−ドデシルメルカプトブタン、エチレングリコール  ビス［３，３−ビス−３’−ｔ−ブチル−４’−ヒドロキシフェニル）ブチレート］、ビス（３−ｔ−ブチル−４−ヒドロキシ−５−メチルフェニル）ジシクロペンタジエン、ビス［２−（３’−ｔ−ブチル−２’−ヒドロキシ−５’−メチルベンジル）−６−ｔ−ブチル−４−メチルフェニル］テレフタレート、１，１−ビス（３，５−ジメチル−２−ヒドロキシフェニル）ブタン、２，２−ビス（３，５−ジ−ｔ−ブチル−４−ヒドロキシフェニル）プロパン、２，２−ビス（５−ｔ−ブチル−４−ヒドロキシ−２−メチルフェニル）−４−ｎ−ドデシルメルカプトブタン、１，１，５，５−テトラ（５−ｔ−ブチル−４−ヒドロキシ−２−メチルフェニル）ペンタン、２−ｔ−ブチル−６−（３’−ｔ−ブチル−５’−メチル−２’−ヒドロキシベンジル）−４−メチルフェニル  アクリレート、２，４−ジ−ｔ−ペンチル−６−［１−（２−ヒドロキシ−３，５−ジ−ｔ−ペンチルフェニル）エチル］フェニル  アクリレート、及びこれらの混合物。
【００４５】
（７）Ｏ−、Ｎ−及びＳ−ベンジル誘導体
３，５，３’，５’−テトラ−ｔ−ブチル−４，４’−ジヒドロキシジベンジルエーテル、オクタデシル−４−ヒドロキシ−３，５−ジメチルベンジルメルカプトアセテート、トリス（３，５−ジ−ｔ−ブチル−４−ヒドロキシベンジル）アミン、ビス（４−ｔ−ブチル−３−ヒドロキシ−２，６−ジメチルベンジル）ジチオテレフタレート、ビス（３，５−ジ−ｔ−ブチル−４−ヒドロキシベンジル）スルフィド、イソオクチル−３，５−ジ−ｔ−ブチル−４−ヒドロキシベンジルメルカプトアセテート、及びこれらの混合物。
（８）ヒドロキシベンジル化マロネート誘導体
ジオクタデシル−２，２−ビス（３，５−ジ−ｔ−ブチル−２−ヒドロキシベンジル）マロネート、ジオクタデシル−２−（３−ｔ−ブチル−４−ヒドロキシ−５−メチルベンジル）マロネート、ジドデシルメルカプトエチル−２，２−ビス（３，５−ジ−ｔ−ブチル−４−ヒドロキシベンジル）マロネート、ビス［４−（１，１，３，３−テトラメチルブチル）フェニル］−２，２−ビス（３，５−ジ−ｔ−ブチル−４−ヒドロキシベンジル）マロネート、及びこれらの混合物。
（９）芳香族ヒドロキシベンジル誘導体
１，３，５−トリメチル−２，４，６−トリス（３，５−ジ−ｔ−ブチル−４−ヒドロキシベンジル）ベンゼン、１，４−ビス（３，５−ジ−ｔ−ブチル−４−ヒドロキシベンジル）−２，３，５，６−テトラメチルベンゼン、２，４，６−トリス（３，５−ｔ−ブチル−４−ヒドロキシベンジル）フェノール、及びこれらの混合物。
【００４６】
（１０）トリアジン誘導体
２，４−ビス（ｎ−オクチルチオ）−６−（４−ヒドロキシ−３，５−ジ−ｔ−ブチルアニリノ）−１，３，５−トリアジン、２−ｎ−オクチルチオ−４，６−ビス（４−ヒドロキシ−３，５−ジ−ｔ−ブチルアニリノ）−１，３，５−トリアジン、２−ｎ−オクチルチオ−４，６−ビス（４−ヒドロキシ−３，５−ジ−ｔ−ブチルフェノキシ）−１，３，５−トリアジン、２，４，６−トリス（３，５−ジ−ｔ−ブチル−４−フェノキシ）−１，３，５−トリアジン、トリス（４−ｔ−ブチル−３−ヒドロキシ−２，６−ジメチルベンジル）イソシアヌレート、トリス（３，５−ジ−ｔ−ブチル−４−ヒドロキシベンジル）イソシアヌレート、２，４，６−トリス（３，５−ジ−ｔ−ブチル−４−ヒドロキシフェニルエチル）−１，３，５−トリアジン、２，４，６−トリス（３，５−ジ−ｔ−ブチル−４−ヒドロキシフェニルプロピル）−１，３，５−トリアジン、トリス（３，５−ジシクロヘキシル−４−ヒドロキシベンジル）イソシアヌレート、トリス［２−（３’，５’−ジ−ｔ−ブチル−４’−ヒドロキシシンナモイルオキシ)エチル]イソシアヌレート、及びこれらの混合物。
【００４７】
（１１）ベンジルホスホネート誘導体
ジメチル−３，５−ジ−ｔ−ブチル−４−ヒドロキシベンジルホスホネート、ジエチル−３，５−ジ−ｔ−ブチル−４−ヒドロキシベンジルホスホネート、ジオクタデシル−３，５−ジ−ｔ−ブチル−４−ヒドロキシベンジルホスホネート、ジオクタデシル−５−ｔ−ブチル−４−ヒドロキシ−３−メチルベンジルホスホネート、３，５−ジ−ｔ−ブチル−４−ヒドロキシベンジルホスホン酸モノエステルのカルシウム塩、及びこれらの混合物。
（１２）アシルアミノフェノール誘導体
４−ヒドロキシラウリル酸アニリド、４−ヒドロキシステアリン酸アニリド、オクチル−Ｎ−（３，５−ジ−ｔ−ブチル−４−ヒドロキシフェニル）カルバネート、及びこれらの混合物。
（１３）β−（３，５−ジ−ｔ−ブチル−４−ヒドロキシフェニル）プロピオン酸と以下の１価又は多価アルコールとのエステル
メタノール、エタノール、オクタノール、オクタデカノール、エチレングリコール、１、３−プロパンジオール、１，４−ブタンジオール、１，６−ヘキサンジオール、１，９−ノナンジオール、ネオペンチルグリコール、ジエチレングリコール、チオエチレングリコール、スピログリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２，２，２］オクタン、及びこれらの混合物。
【００４８】
（１４）β−（５−ｔ−ブチル−４−ヒドロキシ−３−メチルフェニル）プロピオン酸と以下の１価又は多価アルコールとのエステル
メタノール、エタノール、オクタノール、オクタデカノール、エチレングリコール、１，３−プロパンジオール、１，４−ブタンジオール、１，６−ヘキサンジオール、１，９−ノナンジオール、ネオペンチルグリコール、ジエチレングリコール、チオエチレングリコール、スピログリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２，２，２］オクタン、及びこれらの混合物。
（１５）β−（３，５−ジシクロヘキシル−４−ヒドロキシフェニル）プロピオン酸と以下の１価又は多価アルコールとのエステル
メタノール、エタノール、オクタノール、オクタデカノール、エチレングリコール、１，３−プロパンジオール、１，４−ブタンジオール、１，６−ヘキサンジオール、１，９−ノナンジオール、ネオペンチルグリコール、ジエチレングリコール、チオエチレングリコール、スピログリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、4-ヒドロキシメチル−１−ホスファ−２，６，７−トリオキサビシクロ［２，２，２］オクタン、及びこれらの混合物。
【００４９】
（１６）３，５−ジ−ｔ−ブチル−４−ヒドロキシフェニル酢酸と以下の１価又は多価アルコールとのエステル
メタノール、エタノール、オクタノール、オクタデカノール、エチレングリコール、１，３−プロパンジオール、１，４−ブタンジオール、１，６−ヘキサンジオール、１，９−ノナンジオール、ネオペンチルグリコール、ジエチレングリコール、チオエチレングリコール、スピログリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２，２，２］オクタン、及びこれらの混合物。
（１７）β−（３，５−ジ−ｔ−ブチル−４−ヒドロキシフェニル)プロピオン酸のアミド
Ｎ，Ｎ’−ビス［３−（３’，５’−ジ−ｔ−ブチル−４’−ヒドロキシフェニル)プロピオニル]ヒドラジン、Ｎ，Ｎ’−ビス［３−（３’，５’−ジ−ｔ−ブチル−４’−ヒドロキシフェニル)プロピオニル]ヘキサメチレンジアミン、Ｎ，Ｎ’−ビス［３−（３’，５’−ジ−ｔ−ブチル−４’−ヒドロキシフェニル)プロピオニル]トリメチレンジアミン、及びこれらの混合物。
【００５０】
特に好ましいフェノール系酸化防止剤としては、以下の化合物が挙げられる。フェノール系酸化防止剤は２種以上の混合物として用いてもよい。
２，６−ジ−ｔ−ブチル−４−メチルフェノール、２，４，６−トリ−ｔ−ブチルフェノール、２，４−ジオクチルチオメチル−６−メチルフェノール、２，２’−チオビス（６−ｔ−ブチルフェノール）、４，４’−チオビス（３−メチル−６−ｔ−ブチルフェノール）、２，２’−メチレンビス（４−メチル−６−ｔ−ブチルフェノール）、２，２’−メチレンビス（４−エチル−６−ｔ−ブチルフェノール）、２，２’−メチレンビス［４−メチル−６−（α−メチルシクロヘキシル）フェノール］、２，２’−メチレンビス（４−メチル−６−シクロヘキシルフェノール）、２，２’−メチレンビス（４，６−ジ−ｔ−ブチルフェノール）、２，２’−エチリデンビス（４，６−ジ−ｔ−ブチルフェノール）、４，４’−メチレンビス（６−ｔ−ブチル−２−メチルフェノール）、４，４’−メチレンビス（２，６−ジ−ｔ−ブチルフェノール）、４，４’−ブチリデンビス（３−メチル−６−ｔ−ブチルフェノール）、１，１−ビス（４−ヒドロキシフェニル）シクロヘキサン、１，１−ビス（５−ｔ−ブチル−４−ヒドロキシ−２−メチルフェニル）ブタン、１，１，３−トリス（５−ｔ−ブチル−４−ヒドロキシ−２−メチルフェニル）ブタン、エチレングリコール  ビス［３，３−ビス−３’−ブチル−４’−ヒドロキシフェニルブチレート］、２−ｔ−ブチル−６−（３’−ｔ−ブチル−５’−メチル−２’−ヒドロキシベンジル）−４−メチルフェニル  アクリレート、２，４−ジ−ｔ−ペンチル−６−［１−（２−ヒドロキシ−３，５−ジ−ｔ−ペンチルフェニル）エチル]フェニル  アクリレート、
【００５１】
２，４，６−トリス（３，５−ジ−ｔ−ブチル−４−フェノキシ）−１，３，５−トリアジン、トリス（４−ｔ−ブチル−３−ヒドロキシ−２，６−ジメチルベンジル）イソシアヌレート、ビス（３，５−ジ−ｔ−ブチル−４−ヒドロキシベンジル）イソシアヌレート、トリス［２−（３’，５’−ジ−ｔ−ブチル−４’−ヒドロキシシンナモイルオキシ）エチル］イソシアヌレート、ジエチル−３，５−ジ−ｔ−ブチル−４−ヒドロキシベンジルホスホネート、ジ−ｎ−オクタデシル−３，５−ジ−ｔ−ブチル−４−ヒドロキシベンジルホスホネート、３，５−ジ−ｔ−ブチル−４−ヒドロキシベンジルホスホン酸モノエステルのカルシウム塩、ｎ−オクタデシル  ３−（３，５−ジ−ｔ−ブチル−４−ヒドロキシフェニル）プロピオネ−ト、ネオペンタンテトライルテトラキス（３，５−ジ−ｔ−ブチル−４−ヒドロキシシンナメート）、チオジエチレンビス（３，５−ジ−ｔ−ブチル−４−ヒドロキシシンナメート）、１，３，５−トリメチル−２，４，６−トリス（３，５−ジ−ｔ−ブチル−４−ヒドロキシベンジル）ベンゼン、３，６−ジオキサオクタメチレンビス（３，５−ジ−ｔ−ブチル−４−ヒドロキシシンナメート）、ヘキサメチレンビス（３，５−ジ−ｔ−ブチル−４−ヒドロキシシンナメート）、トリエチレングリコール  ビス（５−ｔ−ブチル−４−ヒドロキシ−３−メチルシンナメート）、３，９−ビス［２−（３−（３−ｔ−ブチル−４−ヒドロキシ−５−メチルフェニル）プロピオニルオキシ）−１，１−ジメチルエチル］−２，４，８，１０−テトラオキサスピロ［５・５］ウンデカン、Ｎ，Ｎ’−ビス［３−（３’，５’−ジ−ｔ−ブチル−４’−ヒドロキシフェニル）プロピオニル］ヒドラジン、Ｎ，Ｎ’−ビス［３−（３’，５’−ジ−ｔ−ブチル−４’−ヒドロキシフェニル）プロピオニル］ヘキサメチレンジアミン等。
【００５２】
また、リン系酸化防止剤としては、以下のものが挙げられ、これらは２種以上の混合物として使用してもよい。
トリス（ノニルフェニル）ホスファイト、トリス（２，４−ジ−ｔ−ブチルフェニル）ホスファイト、ジステアリル  ペンタエリスリトール  ジホスファイト、ビス（２，４−ジ−ｔ−ブチルフェニル）ペンタエリスリトール  ジホスファイト、ビス（２，４−ジ−ｔ−ブチル−６−メチルフェニル）ペンタエリスリトール  ジホスファイト、ビス（２，６−ジ−ｔ−ブチル−４−メチルフェニル）ペンタエリスリトール  ジホスファイト、テトラキス（２，４−ジ−ｔ−ブチルフェニル）−４，４’−ジフェニレンジホスホナイト、２，２’−メチレンビス（４，６−ジ−ｔ−ブチルフェニル）  ２−エチルヘキシル  ホスファイト、２，２’−エチリデンビス（４，６−ジ−ｔ−ブチルフェニル）  フルオロ  ホスファイト、ビス（２，４−ジ−ｔ−ブチル−６−メチルフェニル）  エチルホスファイト、２−（２，４，６−トリ−ｔ−ブチルフェニル）−５−エチル−５−ブチル−１，３，２−オキサホスホリナン、２，２’，２’’−ニトリロ［トリエチル−トリス（３，３’，５，５’−テトラ−ｔ−ブチル−１，１’−ビフェニル−２，２’−ジイル）  ホスファイトや２，４，８，１０−テトラ−ｔ−ブチル−６−［３−（３−メチル−４−ヒドロキシ−５−ｔ−ブチルフェニル）プロポキシ］ジベンゾ［ｄ，ｆ］［１，３，２］ジオキサホスフェピン、ビス（２，４−ジクミルフェニル）ペンタエリスリトール  ジホスファイト等。
【００５３】
イオウ系酸化防止剤としては、例えば次のようなものが挙げられ、これらは２種以上の混合物として使用してもよい。
ジラウリル  ３，３’−チオジプロピオネート、トリデシル  ３，３’−チオジプロピオネート、ジミリスチル  ３，３’−チオジプロピオネート、ジステアリル  ３，３’−チオジプロピオネート、ラウリル  ステアリル  ３，３’−チオジプロピオネート、ネオペンタンテトライルテトラキス  （３−ラウリルチオプロピオネート）等。
【００５４】
ベンゾフラノン類としては、５，７−ジ−ｔ−ブチル−３−（３，４−ジメチルフェニル）−３Ｈ−ベンゾフラン−２−オン等が挙げられる。
【００５５】
紫外線吸収剤としては、例えば次のようなものが挙げられ、これらは２種以上の混合物として使用してもよい。
（１）サリシレート誘導体
フェニル  サリシレート、４−ｔ−ブチルフェニル  サリシレート、２，４−ジ−ｔ−ブチルフェニル  ３’，５’−ジ−ｔ−ブチル−４’−ヒドロキシベンゾエート、４−ｔ−オクチルフェニル  サリシレート、ビス（４−ｔ−ブチルベンゾイル）レゾルシノール、ベンゾイルレゾルシノール、ヘシサデシル  ３’，５’−ジ−ｔ−ブチル−４’−ヒドロキシベンゾエート、オクタデシル  ３’，５’−ジ−ｔ−ブチル−４’−ヒドロキシベンゾエート、２−メチル−４，６−ジ−ｔ−ブチルフェニル  ３’，５’−ジ−ｔ−ブチル−４’−ヒドロキシベンゾエート、及びこれらの混合物等。
（２）２−ヒドロキシベンゾフェノン誘導体
２，４−ジヒドロキシベンゾフェノン、２−ヒドロキシ−４−メトキシベンゾフェノン、２−ヒドロキシ−４−オクトキシベンゾフェノン、２，２’−ジヒドロキシ−４−メトキシベンゾフェノン、ビス（５−ベンゾイル−４−ヒドロキシ−２−メトキシフェニル）メタン、２，２’，４，４’−テトラヒドロキシベンゾフェノン、及びこれらの混合物等。
【００５６】
（３）２−（２’−ヒドロキシフェニル）ベンゾトリアゾール
２−（２−ヒドロキシ−５−メチルフェニル）ベンゾトリアゾール、２−（３’，５’−ジ−ｔ−ブチル−２’−ヒドロキシフェニル）ベンゾトリアゾール、２−（５’−ｔ−ブチル−２’−ヒドロキシフェニル）ベンゾトリアゾール、２−（２’−ヒドロキシ−５’−ｔ−オクチルフェニル）ベンゾトリアゾール、２−（３−ｔ−ブチル−２−ヒドロキシ−５−メチルフェニル）−５−クロロベンゾトリアゾール、２−（３’−ｓ−ブチル−２’−ヒドロキシ−５’−ｔ−ブチルフェニル）ベンゾトリアゾール、２−（２’−ヒドロキシ−４’−オクチルオキシフェニル）ベンゾトリアゾール、２−（３’，５’−ジ−ｔ−アミル−２’−ヒドロキシフェニル）ベンゾトリアゾール、２−［２’−ヒドロキシ−３’，５’−ビス（α，α−ジメチルベンジル）フェニル］−２Ｈ−ベンゾトリアゾール、２−［（３’−ｔ−ブチル−２’−ヒドロキシフェニル）−５’−（２−オクチルオキシカルボニルエチル）フェニル］−５−クロロベンゾトリアゾール、２−［３’−ｔ−ブチル−５’−［２−（２−エチルヘキシルオキシ）カルボニルエチル］−２’−ヒドロキシフェニル］−５−クロロベンゾトリアゾール、２−［３’−ｔ−ブチル−２’−ヒドロキシ−５’−（２−メトキシカルボニルエチル）フェニル］−５−クロロベンゾトリアゾール、２−［３’−ｔ−ブチル−２’−ヒドロキシ−５’−（２−メトキシカルボニルエチル）フェニル］ベンゾトリアゾール、２−［３’−ｔ−ブチル−２’−ヒドロキシ−５−（２−オクチルオキシカルボニルエチル）フェニル］ベンゾトリアゾール、２−［３’−ｔ−ブチル−２’−ヒドロキシ−５’−［２−（２−エチルヘキシルオキシ）カルボニルエチル］フェニル］ベンゾトリアゾール、２−［２−ヒドロキシ−３−（３，４，５，６−テトラヒドロフタルイミドメチル）−５−メチルフェニル］ベンゾトリアゾール、２−（３，５−ジ−ｔ−ブチル−２−ヒドロキシフェニル）−５−クロロベンゾトリアゾール、２−（３’−ドデシル−２’−ヒドロキシ−５’−メチルフェニル）ベンゾトリアゾールと２−［３’−ｔ−ブチル−２’−ヒドロキシ−５’−（２−イソオクチルオキシカルボニルエチル）フェニル］ベンゾトリアゾールとの混合物、２，２’−メチレンビス［６−（２Ｈ−ベンゾトリアゾール−２−イル）−４−（１，１，３，３−テトラメチルブチル）フェノール、２，２’−メチレンビス［４−ｔ−ブチル−６−（２Ｈ−ベンゾトリアゾール−２−イル）フェノール］、ポリ（３〜11）（エチレングリコール）と２−［３’−ｔ−ブチル−２’−ヒドロキシ−５’−（２−メトキシカルボニルエチル）フェニル］ベンゾトリアゾールとの縮合物、ポリ（３〜１１）（エチレングリコール）とメチル  ３−［（２Ｈ−ベンゾトリアゾール−２−イル）−５−ｔ−ブチル−４−ヒドロキシフェニル］プロピオネートとの縮合物、２−エチルヘキシル  ３−［３−ｔ−ブチル−５−（５−クロロ−２Ｈ−ベンゾトリアゾール−２−イル）−４−ヒドロキシフェニル］プロピオネート、オクチル  ３−［３−ｔ−ブチル−５−（５−クロロ−２Ｈ−ベンゾトリアゾール−２−イル）−４−ヒドロキシフェニル］プロピオネート、メチル  ３−［３−ｔ−ブチル−５−（���−クロロ−２Ｈ−ベンゾトリアゾール−２−イル）−４−ヒドロキシフェニル］プロピオネート、３−［３−ｔ−ブチル−５−（５−クロロ−２Ｈ−ベンゾトリアゾール−２−イル）−４−ヒドロキシフェニル］プロピオン酸、及びこれらの混合物等。
（４）２−（２−ヒドロキシフェニル）−１，３，５−トリアジン系
２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−［２，４−ジヒドロキシフェニル−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチルフェニル）−１，３，５−トリアジン、２−［２−ヒドロキシ−４−（２−ヒドロキシ−３−オクチルオキシプロポキシ）フェニル］−４，６−ビス（２，４−ジメチルフェニル）−１，３，５−トリアジン、２−（４，６−ジフェニル−１，３，５−トリアジン−２−イル）−５−［（ヘキシル）オキシ］−フェノール、及びこれらの混合物等。
（５）マロン酸エステル系
ｐ−メトキシベンジリデンマロン酸ジメチルエステル、ホスタビンＢ−ＣＡＰＸＰ、及びこれらの混合物等。
【００５７】
特に好ましい紫外線吸収剤としては、以下のものが挙げられ、これらは２種以上の混合物として使用してもよい。
フェニル  サリシレート、４−ｔ−ブチルフェニル  サリシレート、２，４−ジ−ｔ−ブチルフェニル  ３’，５’−ジ−ｔ−ブチル−４’−ヒドロキシベンゾエート、４−ｔ−オクチルフェニル  サリシレート、２，４−ジヒドロキシベンゾフェノン、２−ヒドロキシ−４−メトキシベンゾフェノン、２−ヒドロキシ−４−オクトキシベンゾフェノン、２，２’−ジヒドロキシ−４−メトキシベンゾフェノン、ビス（５−ベンゾイル−４−ヒドロキシ−２−メトキシフェニル）メタン、２，２’，４，４’−テトラヒドロキシベンゾフェノン、２−（２−ヒドロキシ−５−メチルフェニル）ベンゾトリアゾール、２−（３’，５’−ジ−ｔ−ブチル−２’−ヒドロキシフェニル）ベンゾトリアゾール、２−（５’−ｔ−ブチル−２’−ヒドロキシフェニル）ベンゾトリアゾール、２−（２’−ヒドロキシ−５’−ｔ−オクチルフェニル）ベンゾトリアゾール、２−（３−ｔ−ブチル−２−ヒドロキシ−５−メチルフェニル）−５−クロロベンゾトリアゾール、２−（３’−ｓ−ブチル−２’−ヒドロキシ−５’−ｔ−ブチルフェニル）ベンゾトリアゾール、２−（２’−ヒドロキシ−４’−オクチルオキシフェニル）ベンゾトリアゾール、２−（３’，５’−ジ−ｔ−アミル−２’−ヒドロキシフェニル）ベンゾトリアゾール、２−［２’−ヒドロキシ−３’，５’−ビス（α，α−ジメチルベンジル）フェニル］−２Ｈ−ベンゾトリアゾール２，２’−メチレンビス［６−（２Ｈ−ベンゾトリアゾール−２−イル）−４−（１，１，３，３−テトラメチルブチル）フェノール、２−（２−ヒドロキシ−４−オクチルオキシフェニル）−４，６−ビス（２，４−ジメチルフェニル）−１，３，５−トリアジン、２−（４，６−ジフェニル−１，３，５−トリアジン−２−イル）−５−［（ヘキシル）オキシ］−フェノール、ｐ−メトキシベンジリデンマロン酸ジメチルエステル、ホスタビンＢ−ＣＡＰＸＰ等。
【００５８】
光安定剤としては、例えば次のようなものが挙げられる。
（１）ヒンダードアミン系光安定剤
ビス（２，２，６，６−テトラメチル−４−ピペリジル）  セバケート、ビス（２，２，６，６−テトラメチル−４−ピペリジル）  スクシネート、ビス（１，２，２，６，６−ペンタメチル−４−ピペリジル）  セバケート、ビス（Ｎ−オクトキシ−２，２，６，６−テトラメチル−４−ピペリジル）  セバケート、ビス（Ｎ−ベンジルオキシ−２，２，６，６−テトラメチル−４−ピペリジル）セバケート、ビス（Ｎ−シクロヘキシルオキシ−２，２，６，６−テトラメチル−４−ピペリジル）  セバケート、ビス（１，２，２，６，６−ペンタメチル−４−ピペリジル）  ２−（３，５−ジ−ｔ−ブチル−４−ヒドロキシベンジル）−２−ブチルマロネート、ビス（１−アクロイル−２，２，６，６−テトラメチル−４−ピペリジル）  ２，２−ビス（３，５−ジ−ｔ−ブチル−４−ヒドロキシベンジル）−２−ブチルマロネート、ビス（１，２，２，６，６−ペンタメチル−４−ピペリジル  デカンジオエート、２，２，６，６−テトラメチル−４−ピペリジル  メタクリレート、４−［３−（３，５−ジ−ｔ−ブチル−４−ヒドロキシフェニル）プロピオニルオキシ］−１−［２−（３−（３，５−ジ−ｔ−ブチル−４−ヒドロキシフェニル）プロピオニルオキシ）エチル］−２，２，６，６−テトラメチルピペリジン、２−メチル−２−（２，２，６，６−テトラメチル−４−ピペリジル）アミノ−Ｎ−（２，２，６，６−テトラメチル−４−ピペリジル）プロピオンアミド、テトラキス（２，２，６，６−テトラメチル−４−ピペリジル）  １，２，３，４−ブタンテトラカルボキシレート、テトラキス（１，２，２，６，６−ペンタメチル−４−ピペリジル）  １，２，３，４−ブタンテトラカルボキシレート、１，２，３，４−ブタンテトラカルボン酸と１，２，２，６，６−ペンタメチル−４−ピペリジノール及び１−トリデカノールとの混合エステル化物、
【００５９】
１，２，３，４−ブタンテトラボン酸と２，２，６，６−テトラメチル−４−ピペリジノール及び１−トリデカノールとの混合エステル化物、１，２，３，４−ブタンテトラカルボン酸と１，２，２，６，６−ペンタメチル−４−ピペリジノール及び３，９−ビス（２−ヒドロキシ−１，１−ジメチルエチル）−２，４，８，１０−テトラオキサスピロ［５・５］ウンデカンとの混合エステル化物、１，２，３，４−ブタンテトラカルボン酸と２，２，６，６−テトラメチル−４−ピペリジノール及び３，９−ビス（２−ヒドロキシ−１，１−ジメチルエチル）−２，４，８，１０−テトラオキサスピロ［５・５］ウンデカンとの混合エステル化物、ジメチル  サクシネートと１−（２−ヒドロキシエチル）−４−ヒドロキシ−２，２，６，６−テトラメチルピペリジンとの重縮合物、ポリ［（６−モルホリノ−１，３，５−トリアジン−２，４−ジイル）（（２，２，６，６−テトラメチル−４−ピペリジル）イミノ）ヘキサメチレン（（２，２，６，６−テトラメチル−４−ピペリジル）イミノ）］、ポリ［（６−（１，１，３，３−テトラメチルブチル）イミノ−１，３，５−トリアジン−２，４−ジイル（（２，２，６，６−テトラメチル−４−ピペリジル）イミノ）ヘキサメチレン（（２，２，６，６−テトラメチル−４−ピペリジル）イミノ））、Ｎ，Ｎ’−ビス（２，２，６，６−テトラメチル−４−ピペリジル）ヘキサメチレンジアミンと１，２−ジブロモエタンとの重縮合物、Ｎ，Ｎ’，４，７−テトラキス［４，６−ビス（Ｎ−ブチル−Ｎ−（２，２，６，６−テトラメチル−４−ピペリジル）アミノ）−１，３，５−トリアジン−２−イル］−４，７−ジアザデカン−１，１０ジアミン、Ｎ，Ｎ’，４−トリス［４，６−ビス（Ｎ−ブチル−Ｎ−（２，２，６，６−テトラメチル−４−ピペリジル）アミノ）−１，３，５−トリアジン−２−イル］−４，７−ジアザデカン−１，１０−ジアミン、Ｎ，Ｎ’，４，７−テトラキス［４，６−ビス（Ｎ−ブチル−Ｎ−（１，２，２，６，６−ペンタメチル−４−ピペリジル）アミノ）−１，３，５−トリアジン−２−イル］−４，７−ジアザデカン−１，１０−ジアミン、又はＮ，Ｎ’，４−トリス［４，６−ビス（Ｎ−ブチル−Ｎ−（１，２，２，６，６−ペンタメチル−４−ピペリジル）アミノ）−１，３，５−トリアジン−２−イル］−４，７−ジアザデカン−１，１０−ジアミン、及びこれらの混合物等。
【００６０】
（２）アクリレート系光安定剤
エチル  α−シアノ−β，β−ジフェニルアクリレート、イソオクチル  α−シアノ−β，β−ジフェニルアクリレート、メチル  α−カルボメトキシシンナメート、メチル  α−シアノ−β−メチル−ｐ−メトキシシンナメート、ブチル  α−シアノ−β−メチル−ｐ−メトキシシンナメート、メチル  α−カルボメトキシ−ｐ−メトキシシンナメート、又はＮ−（β−カルボメトキシ−β−シアノビニル）−２−メチルインドリン、及びこれらの混合物等。
（３）ニッケル系光安定剤
２，２’−チオビス−［４−（１，１，３，３−テトラメチルブチル）フェノール］のニッケル錯体、ニッケルジブチルジチオカルバメート、モノアルキルエステルのニッケル塩、ケトキシムのニッケル錯体及びそれらの混合物等。
【００６１】
（４）オキサミド系光安定剤
４，４’−ジオクチルオキシオキサニリド、２，２’−ジエトキシオキサニリド、２，２’−ジオクチルオキシ−５，５’−ジ−ｔ−ブチルアニリド、２，２’−ジドデシルオキシ−５，５’−ジ−ｔ−ブチルアニリド、２−エトキシ−２’−エチルオキサニリド、Ｎ，Ｎ’−ビス（３−ジメチルアミノプロピル）オキサミド、２−エトキシ−５−ｔ−ブチル−２’−エトキシアニリド、２−エトキシ−５，４’−ジ−ｔ−ブチル−２’−エチルオキサニリド、及びこれらの混合物等。
【００６２】
ヒドロキシアミンとしては、例えばＮ，Ｎ−ジベンジルヒドロキシアミン、Ｎ，Ｎ−ジエチルヒドロキシアミン、Ｎ，Ｎ−ジオクチルヒドロキシアミン、Ｎ，Ｎ−ジラウリルヒドロキシアミン、Ｎ，Ｎ−ジテトラデシルヒドロキシアミン、Ｎ，Ｎ−ジヘキサデシルヒドロキシアミン、Ｎ，Ｎ−ジオクタデシルヒドロキシアミン、Ｎ−ヘキサデシル−Ｎ−オクタデシルヒドロキシアミン、Ｎ−ヘプタデシル−Ｎ−オクタデシルヒドロキシアミン、及びこれらの混合物等が挙げられる。
【００６３】
金属不活性化剤としては、例えば次のようなものが挙げられる。
Ｎ，Ｎ’−ジフェニルオキサミド、Ｎ−サリチラル−Ｎ’−サリチロイルヒドラジン、Ｎ，Ｎ’−ビス（サリチロイル）ヒドラジン、Ｎ，Ｎ’−ビス（３，５−ジ−ｔ−ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ビス（サリチロイル）オキサリルジヒドラジド、Ｎ，Ｎ’−ビス（サリチロイル）チオプロピオニルジヒドラジド、及びこれらの混合物等。
【００６４】
過酸化物スカベンジャーとしては、例えばβ−チオジプロピオン酸のエステル、メルカプトベンゾイミダゾール、２−メルカプトベンゾイミダゾールの亜鉛塩、ジブチルジチオカルバミン酸の亜鉛塩、ジオクタデシルジスルフィド、ペンタエリスリトール  テトラキス（β−ドデシルメルカプト）プロピオネート、及びこれらの混合物等が挙げられる。
ポリアミド安定剤としては、例えば、ヨウ化物、又はリン化合物の銅もしくは２価のマンガン塩、及びこれらの混合物等が挙げられる。
中和剤としては、例えばステアリン酸カルシウム、ステアリン酸亜鉛、ステアリン酸マグネシウム、ハイドロタルサイト（塩基性マグネシウム・アルミニウム・ヒドロキシ・カーボネート・ハイドレード）、メラミン、アミン、ポリアミド、ポリウレタン、及びこれらの混合物等が挙げられる。
滑剤としては、例えばパラフィンやワックス等の脂肪族炭化水素、炭素数８〜２２の高級脂肪族酸、炭素数８〜２２の高級脂肪族酸金属塩（Ａｌ、Ｃａ、ＭｇやＺｎ塩）、炭素数８〜２２の脂肪族アルコール、ポリグリコール、炭素数４〜２２の高級脂肪酸と炭素数４〜１８の脂肪族１価アルコールとのエステル、炭素数８〜２２の高級脂肪族アマイド、シリコーン油やロジン誘導体等が挙げられる。
【００６５】
造核剤としては、例えば次のようなものが挙げられる。
ナトリウム  ２，２’−メチレンビス（４，６−ジ−ｔ−ブチルフェニル）ホスフェート、［リン酸−２，２’−メチレンビス（４，６−ジ−ｔ−ブチルフェニル）］  ジヒドロオキシアルミニウム、ビス［リン酸−２，２’−メチレンビス（４，６−ジ−ｔ−ブチルフェニル）］  ヒドロオキシアルミニウム、トリス［リン酸−２，２’−メチレンビス（４，６−ジ−ｔ−ブチルフェニル）］  アルミニウム、ナトリウム  ビス（４−ｔ−ブチルフェニル）ホスフェート、安息香酸ナトリウム等の安息香酸金属塩、ｐ−ｔ−ブチル安息香酸アルミニウム、１，３：２，４−ビス（Ｏ−ベンジリデン）ソルビトール、１，３：２，４−ビス（Ｏ−メチルベンジリデン）ソルビトール、１，３：２，４−ビス（Ｏ−エチルベンジリデン）ソルビトール、１，３−Ｏ−３，４−ジメチルベンジリデン−２，４−Ｏ−ベンジリデンソルビトール、１，３−Ｏ−ベンジリデン−２，４−Ｏ−３，４−ジメチルベンジリデンソルビトール、１，３：２，４−ビス（Ｏ−３，４−ジメチルベンジリデン）ソルビトール、１，３−Ｏ−ｐ−クロロベンジリデン−２，４−Ｏ−３，４−ジメチルベンジリデンソルビトール、１，３−Ｏ−３，４−ジメチルベンジリデン−２，４−Ｏ−ｐ−クロロベンジリデンソルビトール、１，３：２，４−ビス（Ｏ−ｐ−クロロベンジリデン）ソルビトール、及びこれらの混合物等。
【００６６】
充填剤としては、例えばガラス繊維、炭素繊維、アルミナ繊維、カーボンブラック、グラファイト、酸化チタン、シリカ、タルク、マイカ、炭酸カルシウム、硫酸カルシウム、炭酸バリウム、オキシサルフェート、酸化スズ、アルミナ、カオリン、炭化ケイ素、金属粉末、及びこれらの混合物等が挙げられる。
【００６７】
帯電防止剤としては、例えばポリエーテルエステルアミド、グリセリンモノステアレート、ドデシルベンゼンスルホン酸アンモニウム塩、ドデシルベンゼンスルホン酸ホスホニウム塩、無水マレイン酸モノグリセライド、無水マレイン酸ジグリセライド、カーボン、グラファイト、金属粉末等が挙げられる。
【００６８】
染料の代表例としては、ＣＩ．Ｓｏｌｖｅｎｔ  Ｖｉｏｌｅｔ１３、バイエル社のマクロレックスバイオレットＢやテラゾ−ルブル−ＲＬＳ等が挙げられる。
【００６９】
難燃剤としては、ハロゲン化ビスフェノールＡのポリカーボネート型難燃剤、有機塩系難燃剤、芳香族リン酸エステル系難剤又はハロゲン化芳香族リン酸エステル型難燃剤、及びこれらの混合物等が挙げられる。
ハロゲン化ビスフェノールＡのポリカーボネート型難燃剤は、テトラブロモビスフェノールＡのポリカーボネート型難燃剤、テトラブロモビスフェノールＡとビスフェノールＡとの共重合ポリカーボネート型難燃剤等が挙げられる。
有機塩系難燃剤としては、ジフェニルスルホン−３，３’−ジスルホン酸ジカリウム、ジフェニルスルホン−３−スルホン酸カリウム、２，４，５−トリクロロベンゼンスルホン酸ナトリウム、２，４，５−トリクロロベンゼンスルホン酸カリウム、ビス（２，６−ジブロモ−４−クミルフェニル）リン酸カリウム、ビス（４−クミルフェニル）リン酸ナトリウム、ビス（ｐ−トルエンスルホン）イミドカリウム、ビス（ジフェニルリン酸）イミドカリウム、ビス（２，４，６−トリブロモフェニル）リン酸カリウム、ビス（２，４−ジブロモフェニル）リン酸カリウム、ビス（４−ブロモフェニル）リン酸カリウム、ジフェニルリン酸カリウム、ジフェニルリン酸ナトリウム、パーフルオロブタンスルホン酸カリウム、ラウリル硫酸ナトリウム、ラウリル硫酸カリウム、ヘキサデシル硫酸ナトリウム、又はヘキサデシル硫酸カリウム等が挙げられる。
ハロゲン化芳香族リン酸エステル型難燃剤としては、トリス（２，４，６−トリブロモフェニル）ホスフェート、トリス（２，４−ジブロモフェニル）ホスフェート又はトリス（４−ブロモフェニル）ホスフェート等が挙げられる。
芳香族リン酸エステル系難燃剤としては、トリフェニルホスフェート、トリス（２，６−キシリル）ホスフェート、テトラキス（２，６−キシリル）レゾルシンジホスフェート、テトラキス（２，６−キシリル）ヒドロキノンジホスフェート、テトラキス（２，６−キシリル）−４，４’−ビフェノールジホスフェート、テトラフェニルレゾルシンジホスフェート、テトラフェニルヒドロキノンジホスフェート、テトラフェニル−４，４’−ビフェノールジホスフェート、芳香環供給源がレゾルシンとフェノールであり且つフェノール性ＯＨ基を含まない芳香族ポリホスフェート、芳香環供給源がレゾルシンとフェノールであり且つフェノール性ＯＨ基を含む芳香族ポリホスフェート、芳香環供給源がヒドロキノンとフェノールであり且つフェノール性ＯＨ基を含まない芳香族ポリホスフェート、芳香環供給源がヒドロキノンとフェノールであり且つフェノール性ＯＨ基を含む芳香族ポリホスフェート、芳香環供給源がビスフェノールＡとフェノールである芳香族ポリホスフェート、芳香環供給源がテトラブロモビスフェノールＡとフェノールである芳香族ポリホスフェート、芳香環供給源がレゾルシンと２，６−キシレノールである芳香族ポリホスフェート、芳香環ソースがヒドロキノンと２，６−キシレノールである芳香族ポリホスフェート、芳香環供給源がビスフェノールＡと２，６−キシレノールである芳香族ポリホスフェート、芳香環供給源がテトラブロモビスフェノールＡと２，６−キシレノールである芳香族ポリホスフェート等が挙げられる。
【００７０】
離型剤としては、例えば、一価アルコールと脂肪酸のエステル、多価アルコールと脂肪酸との部分エステル、又は多価アルコールと脂肪酸との全エステル等のアルコールと脂肪酸のエステルが挙げられる。
一価アルコールと飽和脂肪酸のエステルとしては、ステアリルステアレート、パルミチルパルミテート、ブチルステアレート、メチルラウレート、イソプロピルパルミテート等が挙げられる。一価アルコールと飽和脂肪酸のエステルとしては、ステアリルステアレートが好ましい。
多価アルコールと飽和脂肪酸との部分エステル又は全エステルとしては、ステアリン酸モノグリセリド、ステアリン酸ジグリセリド、ステアリン酸トリグリセリド、ステアリン酸モノソルビテート、ベヘニン酸モノグリセリド、ペンタエリスリトールモノステアレート、ペンタエリスリトールテトラステアレート、ペンタエリスリトールテトラペラルゴネート、プロピレングリコールモノステアレート、ビフェニルビフェネ−ト、ソルビタンモノステアレート、２−エチルヘキシルステアレートやジペンタエリスルトールヘキサステアレート等のジペンタエリスルトールの全エステル又は部分エステル等が挙げられる。
これらのエステルの中でも、ステアリン酸モノグリセリド、ステアリン酸トリグリセリド、ペンタエリスリトールテトラステアレートやステアリン酸トリグリセリドとステアリルステアレートとの混合物が好ましく用いられる。
上記脂肪酸エステルの酸価は、３以下が好ましく、２以下がより好ましい。
ステアリン酸モノグリセリドの場合は、酸価１．５以下、純度９５重量％以上が好ましく、酸価１．２以下、純度９８重量％以上が特に好ましい。
上記エステル以外の離型剤としては、オレフィン系ワックス、カルボキシル基及び／またはカルボン酸無水物基を含有するオレフィン系ワックス、シリコーンオイル、オルガノポリシロキサン、パラフィンワックスや蜜蝋等が挙げられる。
【００７１】
有機過酸化物としては、例えば、ジクミルパーオキサイド、ジ−ｔ−ブチルパーオキサイド、ジ−ｔ−ブチルクミルパーオキサイド、２，５−ジメチル−２，５−ジ（ｔ−ブチルパーオキシ）ヘキサン、２，５−ジメチル−２，５−ジ−（ｔ−ブチルパーオキシ）ヘキセン、１，３−ビス（ｔ−ブチルパーオキシイソプロピル）ベンゼンや３，６，９−トリエチル−３，６，９−トリメチル−１，４，７−トリパーオキシノナン等の過酸化アルキル類；ベンゾイルパーオキサイド、ラウロイルパーオキサイドやデカノイルパーオキサイド等の過酸化ジアシル類；１，１，３，３−テトラメチルブチルパーオキシネオデカネート、ｔ−ブチルパーオキシネオデカネート、α−クミルパーオキシネオデカネート、ｔ−ブチルネオヘプタネート、ｔ−ブチルパーオキシピバレート、ｔ−ヘキシルパーオキシピバレート、１，１，３，３−テトラメチルブチルパーオキシ−２−エチルヘキサネート、ｔ−アミルパーオキシ−２−エチルヘキサネート、ｔ−ブチルパーオキシイソブチレート、ジ−ｔ−ブチルパーオキシヘキサヒドロテレフタレート、ｔ−アミルパーオキシ−３，５，５−トリメチルヘキサネート、ｔ−ブチルパーオキシアセテート、ｔ−ブチルパーオキシベンゾエートやジ−ｔ−ブチルパーオキシトリメチルアジテート等の過酸化エステル類；ジ−３−メトキシブチルパーオキシジカーボネート、ジ（２−エチルヘキシル）パーオキシジカーボネート、ジイソプロピルパーオキシカーボネート、ｔ−ブチルパーオキシイソプロピルカーボネート、ジ（４−ｔ−ブチルシクロヘキシル）パーオキシジカーボネート、ジセチルパーオキシジカーボネートやジミリスチルパーオキシジカーボネート等の過酸化カーボネート類が挙げられる。
【００７２】
有機材料がポリカーボネートである場合、通常は２５０〜４００℃の温度範囲で加工されるが、好ましくは２８０〜３６０℃の範囲であり、更に好ましくは３００〜３５０℃の範囲である。有機材料としてポリカーボネートを含む本発明の有機材料組成物は、ポリカーボネートの着色が抑制されており、例えば電子機器のハウジング、光学レンズ、照明カバー、ＣＤやＤＶＤ等のディスク、ヘッドランプレンズカバー等の自動車部品、窓ガラス、カーポートの屋根等のシート状成型物等に成型する際に、外観に優れた製品を得ることができる。
【００７３】
本発明において、色相安定剤（Ｉ）及び必要に応じて使用されるその他の添加剤を有機材料に添加する場合は、均質な組成物を得るようにすればよく、そのための方法や装置は特に限定されるものではない。例えば、色相安定剤（Ｉ）及び必要に応じて使用されるその他の添加剤を有機材料の製造工程（重合工程）において添加する場合は、重合途中又は重合直後のポリマー液に色相安定剤（Ｉ）及び必要に応じて使用されるその他の添加剤を、溶液又は分散液の形で添加してもよく、溶融状態で添加してもよい。
色相安定剤（Ｉ）及び必要に応じて使用されるその他の添加剤を脱揮後の加熱工程において添加する場合は、上記の色相安定剤（Ｉ）及び必要に応じて使用されるその他の添加剤を有機材料に、直接、ドライブレンドしてもよく、ヘンシェルミキサー等のミキサーを用いて混合してもよい。また、色相安定剤（Ｉ）及び必要に応じて使用されるその他の添加剤をマスターバッチの形で有機材料に配合することもできる。
【実施例】
【００７４】
以下、実施例等により本発明を更に詳細に説明するが、本発明はこれらの例によって限定されるものではない。
【００７５】
実施例１及び比較例１
ポリカーボネート〔住友ダウ社製  カリバー〕の１００重量部に、下式（ａ）
2005298589.tif 000010
（ａ）
【００７６】
で示される色相安定剤の０．０２５重量部を加え、３０ｍｍφの一軸押出機を用いて３４０℃で溶融混練してポリカーボネート樹脂組成物のペレットを得た。
このペレットを、射出成型機を用いて３６０℃で１０分滞留させた後に成型して、シートを得た（実施例１）。
また、上記の色相安定剤（ａ）を添加しない以外は、実施例１と同様な操作を行ってシートを得た（比較例１）。
実施例１と比較例１で得られた２枚のシートのイエローネス  インデックス［ＹＩ］の差（ΔＹＩ）を色差計によって測定した。後述する比較例２で得られたシートのΔＹＩ値を１としたときの相対値を表１に示す。なお、ΔＹＩの相対値は、値が小さいほど着色せず、滞留時の熱劣化が少ないことを示す。
【００７７】
実施例２〜７
実施例１で用いた色相安定剤（ａ）に代えて、下式（ｂ）、（ｃ）、（ｄ）、（ｅ）、（ｆ）又は（ｇ）で示される色相安定剤をそれぞれ色相安定剤（ａ）と同量添加する以外は実施例１と同様にして、ポリカーボネートのシートを得た。実施例２〜６で得たシートの上述したΔＹＩの相対値を表１に示す。
なお、下式（ｄ）〜（ｇ）における「Ｍｅ」は、メチル基を表す。
2005298589.tif 000011
（ｂ）
2005298589.tif 000012
（ｃ）
2005298589.tif 000013
（ｄ）
2005298589.tif 000014
（ｅ）
2005298589.tif 000015
(ｆ)
2005298589.tif 000016
(ｇ)
【００７８】
比較例２
実施例１で用いたポリカーボネートの１００重量部にトリフェニルシランの０．０２５重量部を加える以外は、実施例１と同様にしてシートを得た。このシートの前述したΔＹＩの相対値を表１に示す。
【００７９】
【表１】
2005298589.tif 000017
【００８０】
合成例１［色相安定剤（ａ）の合成］
四つ口フラスコ（１ａ）中にマグネシウム３.６ｇ、テトラヒドロフラン８０ｍｌ及び少量の臭素を仕込んだ。６５℃に加温した後、同温度でｏ−ブロモトルエン２５ｇとテトラヒドロフラン２０ｍｌの混合物を滴下し、滴下終了後同温度で２時間保温した。得られた反応混合物を四つ口フラスコ（１ｂ）中に仕込んだテトラメトキシシラン１１ｇとテトラヒドロフラン５０ｍｌの混合物中に、約２℃で滴下した。滴下終了後、室温で１８時間撹拌した。得られた反応液に水２０ｇ及び１Ｎ塩酸３０ｇを添加後、トルエンを加えて抽出した。抽出後のトルエン相を飽和食塩水で洗浄し、洗浄後、無水硫酸マグネシウムを加えて乾燥した。硫酸マグネシウムを濾別後、得られたトルエン溶液を蒸留して、１３ｇのビス（２−トリル）−ジメトキシシランを得た。
【００８１】
四つ口フラスコ（１ｃ）中に、ビス（２−トリル）−ジメトキシシランの１１ｇとトルエン１００ｍｌを仕込んだ。フラスコ（１ｃ）中の混合物に、−６３℃でジイソブチルアルミニウムヒドリド−トルエン溶液（１ｌ当り１ｍｏｌのジイソブチルアルミニウムヒドリドを含む）の８０ｍｌを加え、室温まで昇温した。その後、１℃で水２０ｇ、１Ｎ塩酸５０ｇを添加し、トルエンで抽出後、トルエン相を飽和食塩水で洗浄した。洗浄後のトルエン相を無水硫酸マグネシウムで乾燥し、硫酸マグネシウムを濾別後、得られたトルエン溶液を減圧下に濃縮して、粗ビス（２−トリル）シランの１１ｇを得た。得られた粗ビス（２−トリル）シランをシリカゲルカラムクロマトグラフで精製して、精ビス（２−トリル）シラン１ｇを得た。ガスクロマトグラフィーで分析したところ、９７％の純度であった。
【００８２】
合成例２［色相安定剤（ｂ）の合成］
四つ口フラスコ（１ｄ）中にマグネシウム３ｇ、テトラヒドロフラン１００ｍｌ及び少量の臭素を仕込んだ。６７℃で４−ブロモ−ｔ−ブチルベンゼン２５ｇを滴下し、滴下終了後、７０℃で３時間保温して反応混合物を得た。
次に、四つ口フラスコ（１ｅ）中のテトラメトキシシラン９ｇとテトラヒドロフラン１００ｍｌの混合物中に、上記で得た反応混合物を滴下した。滴下終了後、１７時間撹拌した。得られた反応混合物に１Ｎ塩酸５０ｇを加え、次いでトルエンを加えて抽出した。得られたトルエン相を飽和食塩水で洗浄後、トルエン相を硫酸マグネシウムで乾燥した。硫酸マグネシウムを濾別後、トルエン相を蒸留して、８ｇのビス（ｔ−ブチルフェニル）−ジメトキシシランを得た。これをガスクロマトグラフィーで分析したところ、９３％の純度であった。
【００８３】
四つ口フラスコ（１ｆ）中に、ビス（ｔ−ブチルフェニル）−ジメトキシシラン７ｇとトルエン１００ｍｌを仕込んだ。この混合物に、−７４℃でジイソブチルアルミニウムヒドリド−トルエン溶液（１ｌ当り１ｍｏｌのジイソブチルアルミニウムヒドリドを含む）の３９ｍｌを加え、室温まで昇温した。次いで、水５０ｇ、飽和食塩水１００ｇ、トルエン１００ｇ及びテトラヒドロフラン５０ｇを加え、不溶分を濾別後、分液した。分液して得た有機相を飽和食塩水で洗浄後、分液した。得られた有機相を無水硫酸マグネシウムで乾燥し、硫酸マグネシウムを濾別した。得られた濾液を減圧下に濃縮後、６ｇのビス（ｔ−ブチルフェニル）シランを得た。該ビス（ｔ−ブチルフェニル）シランをガスクロマトグラフィーで分析したところ、純度は９１％であった。
【００８４】
合成例３［色相安定剤（ｃ）の合成］
四つ口フラスコ（１ｇ）中に、マグネシウム６ｇ、テトラヒドロフラン４０ｍｌ及び少量の臭素を仕込んだ。次いで、４−ブロモビフェニル５９ｇとテトラヒドロフラン８０ｍｌの混合液を６６℃で滴下した。滴下終了後、７２℃で３時間保温して、反応混合物を得た。
次に、四つ口フラスコ（１ｈ）中のテトラメトキシシラン１９ｇとテトラヒドロフラン５０ｍｌの混合物に、上記で得た反応混合物を滴下した。滴下終了後、室温でしばらく撹拌した。得られた反応混合物に水５０ｇを加えてトルエンで抽出した。得られたトルエン相を飽和食塩水で洗浄後、トルエン相を無水硫酸マグネシウムで乾燥した。硫酸マグネシウムを濾別後、濾液を蒸留して２３ｇのビス（４−ビフェニル）−ジメトキシシランを得た。該ビス（４−ビフェニル）−ジメトキシシランをガスクロマトグラフィーで分析したところ、８９％の純度であった。
【００８５】
四つ口フラスコ（１ｉ）中に、ビス（４−ビフェニル）−ジメトキシシラン２０ｇとトルエン２００ｍｌを仕込んだ。この混合物に−６０℃でジイソブチルアルミニウムヒドリド−トルエン溶液（１ｌ当り１ｍｏｌのジイソブチルアルミニウムヒドリドを含む）の１００ｍｌを加え、室温まで昇温した。次いで、水１０ｇと飽和食塩水１００ｇを加え、トルエンで抽出後、得られたトルエン相を飽和食塩水で洗浄した。洗浄後のトルエン相を無水硫酸マグネシウムで乾燥後、硫酸マグネシウムを濾別した。得られた濾液を減圧下に濃縮後、１４ｇのビス（４−ビフェニル）シランを得た。該ビス（４−ビフェニル）シランを液体クロマトグラフィーで分析したところ、純度は約１００％であった。
【００８６】
合成例４［色相安定剤（ｄ）の合成］
四つ口フラスコ（１ｊ）中にマグネシウム３ｇ、テトラヒドロフラン１００ｍｌ及び少量の臭素を仕込んだ。６７℃でブロモアニソール２５ｇを滴下し、滴下終了後、７０℃で２時間保温して反応混合物を得た。
次に、四つ口フラスコ（１ｋ）中のテトラメトキシシラン１０ｇとテトラヒドロフラン５０ｍｌの混合物中に、上記で得た反応混合物を滴下した。滴下終了後、２℃で２時間保温した。次いで、６９℃まで昇温後、同温度で４時間保温した。得られた反応混合物に水５０ｇを加え、トルエンで抽出後、分液した。得られたトルエン相を飽和食塩水で洗浄した。次いで、分液して得たトルエン相を無水硫酸マグネシウムで乾燥した。硫酸マグネシウムを濾別後、得られた濾液を蒸留して、１３ｇのビス（４−メトキシフェニル）−ジメトキシシランを得た。該ビス（４−メトキシフェニル）−ジメトキシシランをガスクロマトグラフィーで分析したところ、９６％の純度であった。
【００８７】
四つ口フラスコ（１ｌ）中に、ビス（４−メトキシフェニル）−ジメトキシシラン１１ｇとトルエン１００ｍｌを仕込んだ。この混合物中に、−７４℃でジイソブチルアルミニウムヒドリド−トルエン溶液（１ｌ当り１ｍｏｌのジイソブチルアルミニウムヒドリドを含む）の７２ｍｌを加え、室温まで昇温した。次いで、水１０ｇを加え、不溶分を濾別した。得られた濾液をトルエンで抽出後、トルエン相を飽和食塩水で洗浄した。洗浄後のトルエン相を無水硫酸マグネシウムで乾燥した。次いで、硫酸マグネシウムを濾別した。得られた濾液を減圧下に濃縮して、８ｇのビス（４−メトキシフェニル）シランを得た。該ビス（４−メトキシフェニル）シランをガスクロマトグラフィーで分析したところ、純度は９４％であった。
【００８８】
合成例５［色相安定剤（ｅ）の合成］
四つ口フラスコ（１ｍ）中に、マグネシウム３ｇ、テトラヒドロフラン５０ｍｌ及び少量の臭素を仕込んだ。次いで、混合物を６６℃まで昇温後、同温度で３−ブロモアニソール２５ｇとテトラヒドロフラン５０ｍｌの混合物を滴下した。滴下終了後、さらに６８℃で２時間保温して、反応混合物を得た。
次に、四つ口フラスコ（１ｎ）中のテトラメトキシシラン１０ｇとテトラヒドロフラン５０ｍｌの混合物中に、上記で得た反応混合物を滴下した。滴下終了後、４時間保温した。得られた反応混合物に、水２０ｇ及び１Ｎ塩酸３０ｇを加え、トルエンで抽出した。得られたトルエン相を飽和食塩水で洗浄後、トルエン相を無水硫酸マグネシウムで乾燥した。硫酸マグネシウムを濾別後、濾液を蒸留して、８ｇのビス（３−メトキシフェニル）−ジメトキシシランを得た。該ビス（３−メトキシフェニル）−ジメトキシシランをガスクロマトグラフィーで分析したところ、８７％の純度であった。
【００８９】
四つ口フラスコ（１ｏ）中に、ビス（３−メトキシフェニル）−ジメトキシシラン７ｇとテトラヒドロフラン５０ｍｌを仕込んだ。この混合物に−７３℃でジイソブチルアルミニウムヒドリド−トルエン溶液（１ｌ当り１ｍｏｌのジイソブチルアルミニウムヒドリドを含む）の４７ｍｌを加え、室温まで昇温した。次いで、水１０ｇ及び１Ｎ塩酸４０ｇを加えた後、トルエンで抽出した。得られたトルエン相を飽和食塩水で洗浄した。洗浄後のトルエン相を無水硫酸マグネシウムで乾燥後、硫酸マグネシウムを濾別した。得られた濾液を減圧下に濃縮して、５ｇのビス（３−メトキシフェニル）シランを得た。該ビス（４−メトキシフェニル）シランをガスクロマトグラフィーで分析したところ、純度は８１％であった。
【００９０】
合成例６［色相安定剤（ｆ）の合成］
四つ口フラスコ（１ｐ）中に、マグネシウム３.３ｇ、テトラヒドロフラン１００ｍｌ及び少量の臭素を仕込んだ。次に、２−ブロモアニソール２５ｇとテトラヒドロフラン２０ｍｌの混合物を滴下し、滴下終了後、加熱還流下で２時間保温した。得られた反応混合物を、四つ口フラスコ（１ｑ）中に仕込んだテトラメトキシシラン１０ｇとテトラヒドロフラン５０ｍｌの混合物中に、約２℃で滴下した。滴下終了後、室温で１８時間撹拌した。得られた反応液に水２０ｇを添加後、トルエンで抽出した。抽出後のトルエン相を飽和食塩水で洗浄後、得られた有機相に無水硫酸マグネシウムを加えて乾燥した。次いで、硫酸マグネシウムを濾別後、得られた濾液中の溶媒を留去した。次に、溶媒留去後の残渣をトルエン／n−ヘキサンの混合溶液から再結晶して、１２ｇのビス（２−メトキシフェニル）−ジメトキシシランを得た。
【００９１】
四つ口フラスコ（１ｒ）中にビス（２−メトキシフェニル）−ジメトキシシランの１０ｇとテトラヒドロフラン１００ｍｌを仕込んだ。フラスコ（１ｒ）中の混合物に、−６３℃でジイソブチルアルミニウムヒドリド−トルエン溶液（１ｌ当り１ｍｏｌのジイソブチルアルミニウムヒドリドを含む）の６５ｍｌを加え、室温まで昇温した。その後、１℃で水２０ｇを添加し、分液後、有機相を飽和食塩水で２回洗浄した。洗浄後の有機相を無水硫酸マグネシウムで乾燥し、硫酸マグネシウムを濾別した。得られた濾液を減圧下に留去して、ガスクロマトグラフィー分析で純度９５％のビス（２−メトキシフェニル）シランの８ｇを得た。
【００９２】
合成例７［色相安定剤（ｇ）の合成］
四つ口フラスコ（１ｓ）中に、マグネシウム３.３ｇ、テトラヒドロフラン２０ｍｌ及び少量の臭素を仕込んだ。次いで、３−メチル−４−ブロモアニソール２５ｇとテトラヒドロフラン８０ｍｌの混合物を滴下し、加熱還流下に２時間保温した。得られた反応混合物を、四つ口フラスコ（１ｔ）中に仕込んだテトラメトキシシラン１０ｇとテトラヒドロフラン５０ｍｌの混合物中に約２℃で滴下した。滴下終了後、室温で１８時間撹拌した。得られた反応液に水２０ｇを添加後、トルエンで抽出した。抽出後のトルエン相を飽和食塩水で洗浄し、洗浄後のトルエン相に無水硫酸マグネシウムを加えて乾燥した。硫酸マグネシウムを濾別後、濾液を留去した。得られた濃縮残渣をメタノールから再結晶して、１２ｇのビス（４−メトキシ−２−メチルフェニル）−ジメトキシシランを得た。
【００９３】
四つ口フラスコ（１ｕ）中に、ビス（４−メトキシ−２−メチルフェニル）−ジメトキシシランの１１ｇとテトラヒドロフラン２００ｍｌを仕込んだ。フラスコ（１ｕ）中の混合物に、−６３℃でジイソブチルアルミニウムヒドリド−トルエン溶液（１ｌ当り１ｍｏｌのジイソブチルアルミニウムヒドリドを含む）の６６ｍｌを加え、室温まで昇温した。次に、１℃で水２０ｇを添加後、分液した。得られた有機相を飽和食塩水で２回洗浄した。洗浄後の有機相を無水硫酸マグネシウムで乾燥後、硫酸マグネシウムを濾別した。濾液を留去して得た固体をｎ−ヘキサンで洗浄、乾燥してビス（４−メトキシ−２−メチルフェニル）シランの５ｇを得た。該ビス（４−メトキシ−２−メチルフェニル）シランをガスクロマトグラフィーで分析したところ、純度９５％であった。
【産業上の利用可能性】
【００９４】
本発明の有機材料用色相安定剤は、ポリカーボネート等の高温加工時における着色抑制剤として有用である。
また、本発明の有機材料組成物は、電子機器のハウジング、光学レンズや建材に利用される。